(57)【要約】【課題】特に、食品に関連した食品関連サービスを提供するのに最適な食品関連サービス提供システムの提供。【解決手段】食品関連サービス提供システムＳは、冷蔵庫１と商店２とサービス提供会社３と利用者Ｐの所持する携帯電話機４とを具備する。冷蔵庫１と商店２のパソコン２０とサービス提供会社３のパソコン３０と利用者Ｐの所持する携帯電話機４とを通信回線５を介して各種の情報を送受信するように接続する。利用者Ｐの所持する携帯電話機４からサービス提供会社３のパソコン３０への料理に関する問い合わせに対して、選択可能な料理のメニュー情報をサービス提供会社３のパソコン３０から利用者Ｐの所持する携帯電話機４に配信する。【選択図】　　　　図１
2004139303.tif 000002
【特許請求の範囲】
【請求項１】
ＩＰｖ６番号を付与され、被収納品を低温で冷却・保存する冷蔵庫と、商品を販売する商店と、食品に関連する食品関連サービスを利用者に対して提供するサービス提供会社と、冷蔵庫と通信可能な利用者の所持する携帯通信端末とを具備し、冷蔵庫と商店のパソコンとサービス提供会社のパソコンと利用者の所持する携帯通信端末とを通信回線を介して各種の情報を送受信するように接続し、利用者の所持する携帯通信端末からサービス提供会社のパソコンへの料理に関する問い合わせに対して、選択可能な料理のメニュー情報をサービス提供会社のパソコンから利用者の所持する携帯通信端末に配信する食品関連サービス提供システムであって、
冷蔵庫は、データベースと通信部とを有し、在庫の被収納品情報をデータベースに登録する機能と、登録した在庫の被収納品情報を通信部から利用者の所持する携帯通信端末に送信する機能とを備え、商店のパソコンは、商品に関する各種の商品情報をサービス提供会社のパソコンに送信する機能を備え、サービス提供会社のパソコンは、商店のパソコンから送信された各種の商品情報を受信する機能と、受信した各種の商品情報を基に料理のメニュー及び料理のレシピを作成する機能と、作成した料理のメニュー情報及び料理のレシピ情報をデータベースに登録する機能と、登録した料理のメニュー情報及び料理のレシピ情報を利用者の所持する携帯通信端末に送信する機能とを備え、利用者の所持する携帯通信端末は、サービス提供会社のパソコンから送信された料理のメニュー情報及び料理のレシピ情報を受信する機能と、受信した料理のメニュー情報及び料理のレシピ情報を表示部に表示する機能とを備えたことを特徴とする食品関連サービス提供システム。
【請求項２】
サービス提供会社のパソコンは、料理のレシピ毎に料理に使用する各種の食材の商品名，数量，購入価格，商店名などの料理のレシピに必要な材料一覧を作成する機能と、作成した料理のレシピに必要な材料一覧をデータベースに登録する機能と、料理のレシピに必要な材料一覧を利用者の所持する携帯通信端末に送信する機能とを備えている請求項１に記載の食品関連サービス提供システム。
【請求項３】
サービス提供会社のパソコンは、料理のレシピに応じた料理の作り方の手順を作成する機能と、作成した料理の作り方の手順情報をデータベースに登録する機能と、料理の作り方の手順情報を利用者の所持する携帯通信端末に送信する機能とを備えている請求項１または２に記載の食品関連サービス提供システム。
【請求項４】
サービス提供会社のパソコンは、本日のお勧め料理のメニューを作成する機能と、作成した本日のお勧め料理のメニュー情報をデータベースに登録する機能と、本日のお勧め料理のメニュー情報を利用者の所持する携帯通信端末に送信する機能とを備えている請求項１乃至３のいずれかに記載の食品関連サービス提供システム。
【請求項５】
サービス提供会社のパソコンは、利用者の所持する携帯通信端末からの料理に関する問い合わせ情報をデータベースに登録する機能を備えている請求項１乃至４のいずれかに記載の食品関連サービス提供システム。
【請求項６】
サービス提供会社のパソコンは、利用者に提供した料理のレシピの統計を取る機能と、料理のレシピの統計情報をデータベースに登録する機能と、料理のレシピの統計情報を必要に応じて商店のパソコンにフィードバックする機能とを備えている請求項１乃至５のいずれかに記載の食品関連サービス提供システム。
【請求項７】
商店とサービス提供会社とは商品に関連する商品関連サービス提供の業務契約を締結し、サービス提供会社のパソコンは、商店に関する各種の商店情報をデータベースに登録する機能と、商店に商店ＩＤを発行する機能と、発行した商店を特定する商店ＩＤ情報をデータベースに登録する機能と、利用料金の支払い方法をデータベースに登録する機能とを備えている請求項１に記載の食品関連サービス提供システム。
【請求項８】
サービス提供会社と冷蔵庫を利用する利用者とは料理のメニュー提供の契約を締結し、サービス提供会社のパソコンは、利用者に関する各種の利用者情報をデータベースに登録する機能と、利用者に利用者ＩＤを発行する機能と、発行した利用者を特定する利用者ＩＤ情報をデータベースに登録する機能とを備えている請求項１に記載の食品関連サービス提供システム。
【請求項９】
利用者の所持する携帯通信端末は、サービス提供会社のパソコンにアクセスする機能と、自己を特定する利用者ＩＤを入力する機能と、入力した自己を特定する利用者ＩＤをサービス提供会社のパソコンに送信する機能とを備えている請求項１に記載の食品関連サービス提供システム。
【請求項１０】
サービス提供会社のパソコンは、利用者の所持する携帯通信端末から送信された利用者を特定する利用者ＩＤを受信する機能と、受信した利用者ＩＤより利用者を識別する機能と、料理のメニュー情報を利用者の所持する携帯通信端末に送信する機能とを備えている請求項１または９に記載の食品関連サービス提供システム。
【請求項１１】
利用者の所持する携帯通信端末は、サービス提供会社のパソコンから送信された料理のメニュー情報を受信する機能と、受信した料理のメニュー情報を表示部に表示する機能とを備えている請求項１，９，１０のいずれかに記載の食品関連サービス提供システム。
【請求項１２】
利用者の所持する携帯通信端末は、表示部に表示された料理のメニュー情報の中から作りたい料理の料理名を選択する機能と、選択した作りたい料理のレシピ情報の提供要求をサービス提供会社のパソコンに送信する機能とを備えている請求項１，９乃至１１のいずれかに記載の食品関連サービス提供システム。
【請求項１３】
サービス提供会社のパソコンは、利用者の所持する携帯通信端末から送信された作りたい料理のレシピ情報の提供要求を受信する機能と、利用者の所持する携帯通信端末からの作りたい料理のレシピ情報の提供要求に応じて該当する料理のレシピ情報をデータベースより読み出す機能と、読み出した料理のレシピ情報を利用者の所持する携帯通信端末に送信する機能とを備えている請求項１，９乃至１２のいずれかに記載の食品関連サービス提供システム。
【請求項１４】
利用者の所持する携帯通信端末は、サービス提供会社のパソコンから送信された料理のレシピ情報を受信する機能と、受信した料理のレシピ情報を表示部に表示する機能とを備えている請求項１，９乃至１３のいずれかに記載の食品関連サービス提供システム。
【請求項１５】
利用者の所持する携帯通信端末は、作りたい料理のレシピに必要な材料一覧の提供要求をサービス提供会社のパソコンに送信する機能を備えている請求項１，９乃至１４のいずれかに記載の食品関連サービス提供システム。
【請求項１６】
サービス提供会社のパソコンは、利用者の所持する携帯通信端末から送信された作りたい料理のレシピに必要な材料一覧の提供要求を受信する機能と、利用者の所持する携帯通信端末からの作りたい料理のレシピに必要な材料一覧の提供要求に応じて該当する料理のレシピに必要な材料一覧をデータベースより読み出す機能と、読み出した料理のレシピに必要な材料一覧を利用者の所持する携帯通信端末に送信する機能とを備えている請求項１，９乃至１５のいずれかに記載の食品関連サービス提供システム。
【請求項１７】
利用者の所持する携帯通信端末は、サービス提供会社のパソコンから送信された料理のレシピに必要な材料一覧を受信する機能と、受信した料理のレシピに必要な材料一覧を表示部に表示する機能とを備えている請求項１，９乃至１６のいずれかに記載の食品関連サービス提供システム。
【請求項１８】
サービス提供会社のパソコンは、利用者の所持する携帯通信端末から作りたい料理の材料一覧の提供要求がある場合に、何人前の料理かを入力する機能と、料理の人数分に応じた料理のレシピに必要な材料の各商品毎の数量，価格を算出する機能と、算出した料理のレシピに必要な材料の各商品毎の数量，価格を利用者の所持する携帯通信端末に送信する機能とを備えている請求項１，９乃至１７のいずれかに記載の食品関連サービス提供システム。
【請求項１９】
利用者の所持する携帯通信端末は、サービス提供会社のパソコンから送信された料理のレシピに必要な材料の商品名，数量，価格を受信する機能と、受信した料理のレシピに必要な材料の商品名，数量，価格を表示部に表示する機能とを備えている請求項１，９乃至１８のいずれかに記載の食品関連サービス提供システム。
【請求項２０】
利用者の所持する携帯通信端末は、参照したい料理の作り方の手順情報の提供要求をサービス提供会社のパソコンに送信する機能を備えている請求項１，９乃至１９のいずれかに記載の食品関連サービス提供システム。
【請求項２１】
サービス提供会社のパソコンは、利用者の所持する携帯通信端末から送信された参照したい料理の作り方の手順情報の提供要求を受信する機能と、利用者の所持する携帯通信端末からの参照したい料理の作り方の手順情報の提供要求に応じて該当する料理の作り方の手順情報をデータベースより読み出す機能と、読み出した料理の作り方の手順情報を利用者の所持する携帯通信端末に送信する機能とを備えている請求項１，９乃至２０のいずれかに記載の食品関連サービス提供システム。
【請求項２２】
利用者の所持する携帯通信端末は、サービス提供会社のパソコンから送信された料理の作り方の手順情報を受信する機能と、受信した料理の作り方の手順情報を表示部に表示する機能とを備えている請求項１，９乃至２１のいずれかに記載の食品関連サービス提供システム。
【請求項２３】
商店のパソコンは、本日のお買い得商品の商品情報，お買い得商品の価格，お買い得商品を使ったお勧め料理のレシピ情報をサービス提供会社のパソコンに随時送信する機能を備えている請求項１に記載の食品関連サービス提供システム。
【請求項２４】
サービス提供会社のパソコンは、商店のパソコンから送信されたお買い得商品の商品情報，お買い得商品の価格，お勧め料理のレシピ情報を受信する機能と、受信したお買い得商品の商品情報，お買い得商品の価格，お勧め料理のレシピ情報をデータベースに登録する機能と、お買い得商品の商品情報，お買い得商品の価格，お勧め料理のレシピ情報を利用者の所持する携帯通信端末に送信する機能とを備えている請求項１または２３に記載の食品関連サービス提供システム。
【請求項２５】
利用者の所持する携帯通信端末は、サービス提供会社のパソコンから送信されたお買い得商品の商品情報，お買い得商品の価格，お勧め料理のレシピ情報を受信する機能と、受信したお買い得商品の商品情報，お買い得商品の価格，お勧め料理のレシピ情報を表示部に表示する機能とを備えている請求項１，２３，２４のいずれかに記載の食品関連サービス提供システム。
【請求項２６】
サービス提供会社のパソコンは、お勧め料理のレシピに必要な材料一覧をデータベースに登録する機能と、お勧め料理のレシピに必要な材料一覧を利用者の所持する携帯通信端末に送信する機能とを備えている請求項１，２３乃至２５のいずれかに記載の食品関連サービス提供システム。
【請求項２７】
利用者の所持する携帯通信端末は、サービス提供会社のパソコンから送信されたお勧め料理のレシピに必要な材料一覧を受信する機能と、受信したお勧め料理のレシピに必要な材料一覧を表示部に表示する機能とを備えている請求項１，２３乃至２６のいずれかに記載の食品関連サービス提供システム。
【請求項２８】
商店のパソコンは、商品の賞味期限年月日，消費期限年月日をサービス提供会社のパソコンに送信する機能を備えている請求項１，２３乃至２７のいずれかに記載の食品関連サービス提供システム。
【請求項２９】
サービス提供会社のパソコンは、商店のパソコンから送信された商品の賞味期限年月日，消費期限年月日を受信する機能と、受信した商品の賞味期限年月日，消費期限年月日をデータベースに登録する機能と、商品の賞味期限年月日，消費期限年月日を利用者の所持する携帯通信端末に送信する機能とを備えている請求項１，２３乃至２８のいずれかに記載の食品関連サービス提供システム。
【請求項３０】
利用者の所持する携帯通信端末は、サービス提供会社のパソコンから送信された商品の賞味期限年月日，消費期限年月日を受信する機能と、受信した商品の賞味期限年月日，消費期限年月日を表示部に表示する機能とを備えている請求項１，２３乃至２９のいずれかに記載の食品関連サービス提供システム。
【請求項３１】
利用者の所持する携帯通信端末は、在庫の被収納品を冷蔵庫に問い合わせる機能と、冷蔵庫に付与したＩＰｖ６番号に接続する機能とを備えている請求項１に記載の食品関連サービス提供システム。
【請求項３２】
冷蔵庫は、利用者の所持する携帯通信端末からの在庫の被収納品の問い合わせに対して、在庫の被収納品情報をデータベースから読み出す機能と、読み出した在庫の被収納品情報を通信部から利用者の所持する携帯通信端末に送信する機能とを備えている請求項１または３１に記載の食品関連サービス提供システム。
【請求項３３】
利用者の所持する携帯通信端末は、冷蔵庫の通信部から送信された在庫の被収納品情報を受信する機能と、受信した冷蔵庫内の在庫の被収納品情報を表示部に表示する機能とを備えている請求項１，３１，３２のいずれかに記載の食品関連サービス提供システム。
【請求項３４】
利用者の所持する携帯通信端末は、冷蔵庫内の在庫の被収納品情報が入力された場合に、冷蔵庫内の在庫の被収納品情報をサービス提供会社のパソコンに送信する機能を備えている請求項１，３１乃至３３のいずれかに記載の食品関連サービス提供システム。
【請求項３５】
サービス提供会社のパソコンは、利用者の所持する携帯通信端末から送信された冷蔵庫内の在庫の被収納品情報を受信する機能と、受信した冷蔵庫内の在庫の被収納品情報をデータベースに登録する機能とを備えている請求項１，３１乃至３４のいずれかに記載の食品関連サービス提供システム。
【請求項３６】
サービス提供会社のパソコンは、利用者の作りたい料理のレシピに必要な材料に不足品がある場合に、料理のレシピに必要な材料の不足分を算出する機能と、算出した材料の不足分から料理のレシピに必要な材料の不足品一覧を作成する機能と、作成した料理のレシピに必要な材料の不足品一覧を利用者の所持する携帯通信端末に送信する機能とを備えている請求項１，３１乃至３５のいずれかに記載の食品関連サービス提供システム。
【請求項３７】
利用者の所持する携帯通信端末は、サービス提供会社のパソコンから送信された料理のレシピに必要な材料の不足品一覧を受信する機能と、受信した料理のレシピに必要な材料の不足品一覧を表示部に表示する機能とを備えている請求項１，３１乃至３６のいずれかに記載の食品関連サービス提供システム。
【請求項３８】
利用者の所持する携帯通信端末は、新たに購入する商品の発注をサービス提供会社のパソコンに対して依頼する機能と、新たに購入する商品を発注する場合に、新たに購入する商品の受取り方法を選択する機能と、選択した新たに購入する商品の受取り方法をサービス提供会社のパソコンに送信する機能とを備えている請求項１，３１乃至３７のいずれかに記載の食品関連サービス提供システム。
【請求項３９】
サービス提供会社のパソコンは、利用者の所持する携帯通信端末から送信された新たに購入する商品の受取り方法を受信する機能と、受信した新たに購入する商品の受取り方法をデータベースに登録する機能と、商品の受渡し場所，商品の受渡し時刻，購入価格を利用者の所持する携帯通信端末に送信する機能とを備えている請求項１，３１乃至３８のいずれかに記載の食品関連サービス提供システム。
【請求項４０】
利用者の所持する携帯通信端末は、サービス提供会社のパソコンから送信された商品の受渡し場所，商品の受渡し時刻，商品の購入価格を受信する機能と、受信した商品の受渡し場所，商品の受渡し時刻，商品の購入価格を表示部に表示する機能とを備えている請求項１，３１乃至３９のいずれかに記載の食品関連サービス提供システム。
【請求項４１】
サービス提供会社のパソコンは、新たに購入する商品の受取り方法が手渡しである場合に、商品の購入ルート，商品の受渡し時刻を利用者の所持する携帯通信端末に送信する機能を備えている請求項１，３１乃至４０のいずれかに記載の食品関連サービス提供システム。
【請求項４２】
利用者の所持する携帯通信端末は、サービス提供会社のパソコンから送信された商品の購入ルート，商品の受渡し時刻を受信する機能と、受信した商品の購入ルート，商品の受渡し時刻を表示部に表示する機能とを備えている請求項１，３１乃至４１のいずれかに記載の食品関連サービス提供システム。
【請求項４３】
サービス提供会社のパソコンは、新たに購入する商品の受取り方法が一括受取りである場合に、商品の受取り場所，商品の受取り時刻を利用者の所持する携帯通信端末に送信する機能を備えている請求項１，３１乃至４２のいずれかに記載の食品関連サービス提供システム。
【請求項４４】
利用者の所持する携帯通信端末は、サービス提供会社のパソコンから送信された商品の受取り場所，商品の受取り時刻を受信する機能と、受信した商品の受取り場所，商品の受取り時刻を表示部に表示する機能とを備えている請求項１，３１乃至４３のいずれかに記載の食品関連サービス提供システム。
【請求項４５】
利用者の所持する携帯通信端末は、各商店への商品の購入代金の支払い方法を指定する機能と、指定した商品の購入代金の支払い方法をサービス提供会社のパソコンに送信する機能とを備えている請求項１，３１乃至４４のいずれかに記載の食品関連サービス提供システム。
【請求項４６】
サービス提供会社のパソコンは、利用者の所持する携帯通信端末から送信された商品の購入代金の支払い方法を受信する機能と、受信した商品の購入代金の支払い方法をデータベースに登録する機能と、商品の購入代金の支払い方法が指定された場合に、新たに購入する商品を商店に発注する機能とを備えている請求項１，３１乃至４５のいずれかに記載の食品関連サービス提供システム。
【請求項４７】
サービス提供会社のパソコンは、商店または利用者との商品の取引情報などのログを取る機能と、ログ情報をデータベースに登録する機能とを備えている請求項１，３１乃至４６のいずれかに記載の食品関連サービス提供システム。
【発明の詳細な説明】
【０００１】
【発明の属する技術分野】
本発明は、特に、食品に関連した食品関連サービスを提供するのに最適な食品関連サービス提供システムに関するものである。
【０００２】
【従来の技術】
一般に、冷蔵庫は肉，野菜，果物，キノコ，魚介類，生卵等の生鮮食品やヨーグルト，バター，チーズ等の乳製品や加工食品や冷凍食品や水，牛乳，ジュース等の飲料やアルコール飲料や味噌等の調味料を低温で冷却・保存するものである。
従来、冷蔵室と冷凍室と野菜室とを有する箱形の冷蔵庫本体に扉を開閉自在に設け、扉に在庫の被収納品の保存リストや保存期間を表示する表示パネルを設けた冷蔵庫が知られている。
【０００３】
また、料理または食材のメニュー情報を入力する入力手段と、入力手段から入力され決定したメニュー情報を情報回線を介してサービスセンタに伝送する伝送手段とを備えた調理支援システムが開示されている（例えば、特許文献１参照。）。
【０００４】
【特許文献１】
特開平８−９６０３５号公報
【０００５】
【発明が解決しようとする課題】
ところが、従来の冷蔵庫では、表示パネルに在庫の被収納品の保存リストや保存期間を手で入力しなければならず、表示部に対する収納品の入力が手数を要して面倒で、表示部に在庫の収納品の保存リストを表示するのみのものであった。
【０００６】
また、特許文献１に開示された調理支援システムは、料理のメニューを簡単に決定でき、その作り方までを支援し、かつ決定したメニュー情報を情報回線を介してサービスセンタに伝送するようにしたにすぎないものであった。
【０００７】
本発明の目的は、利用者が携帯通信端末から冷蔵庫に付与したＩＰｖ６番号へ接続し、冷蔵庫の内部に収納されている在庫の被収納品情報を冷蔵庫のデータベースにあらかじめ登録しておき、在庫の被収納品情報を冷蔵庫のデータベースにより自己管理し、在庫の被収納品情報を冷蔵庫の通信部から通信回線を経由して利用者の所持する携帯通信端末に確実に伝送し、サービス提供会社が商品に関する各種の商品情報を商店のパソコンから自動的に入手し、サービス提供会社のパソコンが受信した各種の商品情報を基に料理のメニュー及び料理のレシピを作成し、利用者が自ら料理のメニュー及び料理のレシピを考える必要がなく、料理のメニュー情報及び料理のレシピ情報をサービス提供会社のパソコンから通信回線を経由して利用者の所持する携帯通信端末に確実に伝送し、利用者が料理のメニュー情報及び料理のレシピ情報をサービス提供会社のパソコンから自動的に入手し、利用者が携帯通信端末の表示部に表示された料理のメニュー情報及び料理のレシピ情報の内容を目視で確認し、利用者が料理のメニュー情報及び料理のレシピ情報の内容を目で見ながら調理を行うことが可能な食品関連サービス提供システムを提供することにある。
【０００８】
【課題を解決するための手段】
本発明の食品関連サービス提供システムは、ＩＰｖ６番号を付与され、被収納品を低温で冷却・保存する冷蔵庫と、商品を販売する商店と、食品に関連する食品関連サービスを利用者に対して提供するサービス提供会社と、冷蔵庫と通信可能な利用者の所持する携帯通信端末とを具備し、冷蔵庫と商店のパソコンとサービス提供会社のパソコンと利用者の所持する携帯通信端末とを通信回線を介して各種の情報を送受信するように接続し、利用者の所持する携帯通信端末からサービス提供会社のパソコンへの料理に関する問い合わせに対して、選択可能な料理のメニュー情報をサービス提供会社のパソコンから利用者の所持する携帯通信端末に配信する食品関連サービス提供システムであって、冷蔵庫が、データベースと通信部とを有し、在庫の被収納品情報をデータベースに登録する機能と、登録した在庫の被収納品情報を通信部から利用者の所持する携帯通信端末に送信する機能とを備え、商店のパソコンが、商品に関する各種の商品情報をサービス提供会社のパソコンに送信する機能を備え、サービス提供会社のパソコンが、商店のパソコンから送信された各種の商品情報を受信する機能と、受信した各種の商品情報を基に料理のメニュー及び料理のレシピを作成する機能と、作成した料理のメニュー情報及び料理のレシピ情報をデータベースに登録する機能と、登録した料理のメニュー情報及び料理のレシピ情報を利用者の所持する携帯通信端末に送信する機能とを備え、利用者の所持する携帯通信端末が、サービス提供会社のパソコンから送信された料理のメニュー情報及び料理のレシピ情報を受信する機能と、受信した料理のメニュー情報及び料理のレシピ情報を表示部に表示する機能とを備えたことを特徴とする構成を有するものである。
【０００９】
本発明の食品関連サービス提供システムは、サービス提供会社のパソコンが、料理のレシピ毎に料理に使用する各種の食材の商品名，数量，購入価格，商店名などの料理のレシピに必要な材料一覧を作成する機能と、作成した料理のレシピに必要な材料一覧をデータベースに登録する機能と、料理のレシピに必要な材料一覧を利用者の所持する携帯通信端末に送信する機能とを備えている。
【００１０】
本発明の食品関連サービス提供システムは、サービス提供会社のパソコンが、料理のレシピに応じた料理の作り方の手順を作成する機能と、作成した料理の作り方の手順情報をデータベースに登録する機能と、料理の作り方の手順情報を利用者の所持する携帯通信端末に送信する機能とを備えている。
【００１１】
本発明の食品関連サービス提供システムは、サービス提供会社のパソコンが、本日のお勧め料理のメニューを作成する機能と、作成した本日のお勧め料理のメニュー情報をデータベースに登録する機能と、本日のお勧め料理のメニュー情報を利用者の所持する携帯通信端末に送信する機能とを備えている。
【００１２】
本発明の食品関連サービス提供システムは、サービス提供会社のパソコンが、利用者の所持する携帯通信端末からの料理に関する問い合わせ情報をデータベースに登録する機能を備えている。
【００１３】
本発明の食品関連サービス提供システムは、サービス提供会社のパソコンが、利用者に提供した料理のレシピの統計を取る機能と、料理のレシピの統計情報をデータベースに登録する機能と、料理のレシピの統計情報を必要に応じて商店のパソコンにフィードバックする機能とを備えている。
【００１４】
本発明の食品関連サービス提供システムは、商店とサービス提供会社とが商品に関連する商品関連サービス提供の業務契約を締結し、サービス提供会社のパソコンが、商店に関する各種の商店情報をデータベースに登録する機能と、商店に商店ＩＤを発行する機能と、発行した商店を特定する商店ＩＤ情報をデータベースに登録する機能と、利用料金の支払い方法をデータベースに登録する機能とを備えている。
【００１５】
本発明の食品関連サービス提供システムは、サービス提供会社と冷蔵庫を利用する利用者とが料理のメニュー提供の契約を締結し、サービス提供会社のパソコンが、利用者に関する各種の利用者情報をデータベースに登録する機能と、利用者に利用者ＩＤを発行する機能と、発行した利用者を特定する利用者ＩＤ情報をデータベースに登録する機能とを備えている。
【００１６】
本発明の食品関連サービス提供システムは、利用者の所持する携帯通信端末が、サービス提供会社のパソコンにアクセスする機能と、自己を特定する利用者ＩＤを入力する機能と、入力した自己を特定する利用者ＩＤをサービス提供会社のパソコンに送信する機能とを備えている。
【００１７】
本発明の食品関連サービス提供システムは、サービス提供会社のパソコンが、利用者の所持する携帯通信端末から送信された利用者を特定する利用者ＩＤを受信する機能と、受信した利用者ＩＤより利用者を識別する機能と、料理のメニュー情報を利用者の所持する携帯通信端末に送信する機能とを備えている。
【００１８】
本発明の食品関連サービス提供システムは、利用者の所持する携帯通信端末が、サービス提供会社のパソコンから送信された料理のメニュー情報を受信する機能と、受信した料理のメニュー情報を表示部に表示する機能とを備えている。
【００１９】
本発明の食品関連サービス提供システムは、利用者の所持する携帯通信端末が、表示部に表示された料理のメニュー情報の中から作りたい料理の料理名を選択する機能と、選択した作りたい料理のレシピ情報の提供要求をサービス提供会社のパソコンに送信する機能とを備えている。
【００２０】
本発明の食品関連サービス提供システムは、サービス提供会社のパソコンが、利用者の所持する携帯通信端末から送信された作りたい料理のレシピ情報の提供要求を受信する機能と、利用者の所持する携帯通信端末からの作りたい料理のレシピ情報の提供要求に応じて該当する料理のレシピ情報をデータベースより読み出す機能と、読み出した料理のレシピ情報を利用者の所持する携帯通信端末に送信する機能とを備えている。
【００２１】
本発明の食品関連サービス提供システムは、利用者の所持する携帯通信端末が、サービス提供会社のパソコンから送信された料理のレシピ情報を受信する機能と、受信した料理のレシピ情報を表示部に表示する機能とを備えている。
【００２２】
本発明の食品関連サービス提供システムは、利用者の所持する携帯通信端末が、作りたい料理のレシピに必要な材料一覧の提供要求をサービス提供会社のパソコンに送信する機能を備えている。
【００２３】
本発明の食品関連サービス提供システムは、サービス提供会社のパソコンが、利用者の所持する携帯通信端末から送信された作りたい料理のレシピに必要な材料一覧の提供要求を受信する機能と、利用者の所持する携帯通信端末からの作りたい料理のレシピに必要な材料一覧の提供要求に応じて該当する料理のレシピに必要な材料一覧をデータベースより読み出す機能と、読み出した料理のレシピに必要な材料一覧を利用者の所持する携帯通信端末に送信する機能とを備えている。
【００２４】
本発明の食品関連サービス提供システムは、利用者の所持する携帯通信端末が、サービス提供会社のパソコンから送信された料理のレシピに必要な材料一覧を受信する機能と、受信した料理のレシピに必要な材料一覧を表示部に表示する機能とを備えている。
【００２５】
本発明の食品関連サービス提供システムは、サービス提供会社のパソコンが、利用者の所持する携帯通信端末から作りたい料理の材料一覧の提供要求がある場合に、何人前の料理かを入力する機能と、料理の人数分に応じた料理のレシピに必要な材料の各商品毎の数量，価格を算出する機能と、算出した料理のレシピに必要な材料の各商品毎の数量，価格を利用者の所持する携帯通信端末に送信する機能とを備えている。
【００２６】
本発明の食品関連サービス提供システムは、利用者の所持する携帯通信端末が、サービス提供会社のパソコンから送信された料理のレシピに必要な材料の商品名，数量，価格を受信する機能と、受信した料理のレシピに必要な材料の商品名，数量，価格を表示部に表示する機能とを備えている。
【００２７】
本発明の食品関連サービス提供システムは、利用者の所持する携帯通信端末が、参照したい料理の作り方の手順情報の提供要求をサービス提供会社のパソコンに送信する機能を備えている。
【００２８】
本発明の食品関連サービス提供システムは、サービス提供会社のパソコンが、利用者の所持する携帯通信端末から送信された参照したい料理の作り方の手順情報の提供要求を受信する機能と、利用者の所持する携帯通信端末からの参照したい料理の作り方の手順情報の提供要求に応じて該当する料理の作り方の手順情報をデータベースより読み出す機能と、読み出した料理の作り方の手順情報を利用者の所持する携帯通信端末に送信する機能とを備えている。
【００２９】
本発明の食品関連サービス提供システムは、利用者の所持する携帯通信端末が、サービス提供会社のパソコンから送信された料理の作り方の手順情報を受信する機能と、受信した料理の作り方の手順情報を表示部に表示する機能とを備えている。
【００３０】
本発明の食品関連サービス提供システムは、商店のパソコンが、本日のお買い得商品の商品情報，お買い得商品の価格，お買い得商品を使ったお勧め料理のレシピ情報をサービス提供会社のパソコンに随時送信する機能を備えている。
【００３１】
本発明の食品関連サービス提供システムは、サービス提供会社のパソコンが、商店のパソコンから送信されたお買い得商品の商品情報，お買い得商品の価格，お勧め料理のレシピ情報を受信する機能と、受信したお買い得商品の商品情報，お買い得商品の価格，お勧め料理のレシピ情報をデータベースに登録する機能と、お買い得商品の商品情報，お買い得商品の価格，お勧め料理のレシピ情報を利用者の所持する携帯通信端末に送信する機能とを備えている。
【００３２】
本発明の食品関連サービス提供システムは、利用者の所持する携帯通信端末が、サービス提供会社のパソコンから送信されたお買い得商品の商品情報，お買い得商品の価格，お勧め料理のレシピ情報を受信する機能と、受信したお買い得商品の商品情報，お買い得商品の価格，お勧め料理のレシピ情報を表示部に表示する機能とを備えている。
【００３３】
本発明の食品関連サービス提供システムは、サービス提供会社のパソコンが、お勧め料理のレシピに必要な材料一覧をデータベースに登録する機能と、お勧め料理のレシピに必要な材料一覧を利用者の所持する携帯通信端末に送信する機能とを備えている。
【００３４】
本発明の食品関連サービス提供システムは、利用者の所持する携帯通信端末が、サービス提供会社のパソコンから送信されたお勧め料理のレシピに必要な材料一覧を受信する機能と、受信したお勧め料理のレシピに必要な材料一覧を表示部に表示する機能とを備えている。
【００３５】
本発明の食品関連サービス提供システムは、商店のパソコンが、商品の賞味期限年月日，消費期限年月日をサービス提供会社のパソコンに送信する機能を備えている。
【００３６】
本発明の食品関連サービス提供システムは、サービス提供会社のパソコンが、商店のパソコンから送信された商品の賞味期限年月日，消費期限年月日を受信する機能と、受信した商品の賞味期限年月日，消費期限年月日をデータベースに登録する機能と、商品の賞味期限年月日，消費期限年月日を利用者の所持する携帯通信端末に送信する機能とを備えている。
【００３７】
本発明の食品関連サービス提供システムは、利用者の所持する携帯通信端末が、サービス提供会社のパソコンから送信された商品の賞味期限年月日，消費期限年月日を受信する機能と、受信した商品の賞味期限年月日，消費期限年月日を表示部に表示する機能とを備えている。
【００３８】
本発明の食品関連サービス提供システムは、利用者の所持する携帯通信端末が、在庫の被収納品を冷蔵庫に問い合わせる機能と、冷蔵庫に付与したＩＰｖ６番号に接続する機能とを備えている。
【００３９】
本発明の食品関連サービス提供システムは、冷蔵庫が、利用者の所持する携帯通信端末からの在庫の被収納品の問い合わせに対して、在庫の被収納品情報をデータベースから読み出す機能と、読み出した在庫の被収納品情報を通信部から利用者の所持する携帯通信端末に送信する機能とを備えている。
【００４０】
本発明の食品関連サービス提供システムは、利用者の所持する携帯通信端末が、冷蔵庫の通信部から送信された在庫の被収納品情報を受信する機能と、受信した冷蔵庫内の在庫の被収納品情報を表示部に表示する機能とを備えている。
【００４１】
本発明の食品関連サービス提供システムは、利用者の所持する携帯通信端末が、冷蔵庫内の在庫の被収納品情報が入力された場合に、冷蔵庫内の在庫の被収納品情報をサービス提供会社のパソコンに送信する機能を備えている。
【００４２】
本発明の食品関連サービス提供システムは、サービス提供会社のパソコンが、利用者の所持する携帯通信端末から送信された冷蔵庫内の在庫の被収納品情報を受信する機能と、受信した冷蔵庫内の在庫の被収納品情報をデータベースに登録する機能とを備えている。
【００４３】
本発明の食品関連サービス提供システムは、サービス提供会社のパソコンが、利用者の作りたい料理のレシピに必要な材料に不足品がある場合に、料理のレシピに必要な材料の不足分を算出する機能と、算出した材料の不足分から料理のレシピに必要な材料の不足品一覧を作成する機能と、作成した料理のレシピに必要な材料の不足品一覧を利用者の所持する携帯通信端末に送信する機能とを備えている。
【００４４】
本発明の食品関連サービス提供システムは、利用者の所持する携帯通信端末が、サービス提供会社のパソコンから送信された料理のレシピに必要な材料の不足品一覧を受信する機能と、受信した料理のレシピに必要な材料の不足品一覧を表示部に表示する機能とを備えている。
【００４５】
本発明の食品関連サービス提供システムは、利用者の所持する携帯通信端末が、新たに購入する商品の発注をサービス提供会社のパソコンに対して依頼する機能と、新たに購入する商品を発注する場合に、新たに購入する商品の受取り方法を選択する機能と、選択した新たに購入する商品の受取り方法をサービス提供会社のパソコンに送信する機能とを備えている。
【００４６】
本発明の食品関連サービス提供システムは、サービス提供会社のパソコンが、利用者の所持する携帯通信端末から送信された新たに購入する商品の受取り方法を受信する機能と、受信した新たに購入する商品の受取り方法をデータベースに登録する機能と、商品の受渡し場所，商品の受渡し時刻，購入価格を利用者の所持する携帯通信端末に送信する機能とを備えている。
【００４７】
本発明の食品関連サービス提供システムは、利用者の所持する携帯通信端末が、サービス提供会社のパソコンから送信された商品の受渡し場所，商品の受渡し時刻，商品の購入価格を受信する機能と、受信した商品の受渡し場所，商品の受渡し時刻，商品の購入価格を表示部に表示する機能とを備えている。
【００４８】
本発明の食品関連サービス提供システムは、サービス提供会社のパソコンが、新たに購入する商品の受取り方法が手渡しである場合に、商品の購入ルート，商品の受渡し時刻を利用者の所持する携帯通信端末に送信する機能を備えている。
【００４９】
本発明の食品関連サービス提供システムは、利用者の所持する携帯通信端末が、サービス提供会社のパソコンから送信された商品の購入ルート，商品の受渡し時刻を受信する機能と、受信した商品の購入ルート，商品の受渡し時刻を表示部に表示する機能とを備えている。
【００５０】
本発明の食品関連サービス提供システムは、サービス提供会社のパソコンが、新たに購入する商品の受取り方法が一括受取りである場合に、商品の受取り場所，商品の受取り時刻を利用者の所持する携帯通信端末に送信する機能を備えている。
【００５１】
本発明の食品関連サービス提供システムは、利用者の所持する携帯通信端末が、サービス提供会社のパソコンから送信された商品の受取り場所，商品の受取り時刻を受信する機能と、受信した商品の受取り場所，商品の受取り時刻を表示部に表示する機能とを備えている。
【００５２】
本発明の食品関連サービス提供システムは、利用者の所持する携帯通信端末が、各商店への商品の購入代金の支払い方法を指定する機能と、指定した商品の購入代金の支払い方法をサービス提供会社のパソコンに送信する機能とを備えている。
【００５３】
本発明の食品関連サービス提供システムは、サービス提供会社のパソコンが、利用者の所持する携帯通信端末から送信された商品の購入代金の支払い方法を受信する機能と、受信した商品の購入代金の支払い方法をデータベースに登録する機能と、商品の購入代金の支払い方法が指定された場合に、新たに購入する商品を商店に発注する機能とを備えている。
【００５４】
本発明の食品関連サービス提供システムは、サービス提供会社のパソコンが、商店または利用者との商品の取引情報などのログを取る機能と、ログ情報をデータベースに登録する機能とを備えている。
【００５５】
【発明の実施の形態】
以下、本発明の実施の形態を図面に基づいて詳細に説明する。
図１は本発明の実施の形態に係わる食品関連サービス提供システムを示す構成図である。
本発明の食品関連サービス提供システムＳは、図１に示すように、ＩＰｖ６番号を付与され、被収納品を低温で冷却・保存する冷蔵庫１と、商品を販売する商店２と、食品に関連する食品関連サービスを利用者Ｐに対して提供するサービス提供会社３と、冷蔵庫１と通信可能な利用者Ｐの所持する携帯通信端末である携帯電話機４とを具備している。
【００５６】
本発明の食品関連サービス提供システムＳは、図１に示すように、冷蔵庫１と商店２のパソコン（ＰＣ）２０とサービス提供会社３のパソコン（ＰＣ）３０と利用者Ｐの所持する携帯電話機４とが通信回線５を介して各種の情報を送受信するように接続され、利用者Ｐの所持する携帯電話機４からサービス提供会社３のパソコン３０への料理に関する問い合わせに対して、選択可能な料理のメニュー情報をサービス提供会社３のパソコン３０から利用者Ｐの所持する携帯電話機４に配信するものである。
【００５７】
本発明の食品関連サービス提供システムＳは、冷蔵庫１が、データベース（ＤＢ）１０と通信部１１とを有し、在庫の被収納品情報をデータベース１０に登録する機能と、登録した在庫の被収納品情報を通信部１１から利用者Ｐの所持する携帯電話機４に送信する機能とを備えている。
【００５８】
本発明の食品関連サービス提供システムＳは、商店２のパソコン２０が、商品に関する各種の商品情報をサービス提供会社３のパソコン３０に送信する機能を備えている。
【００５９】
本発明の食品関連サービス提供システムＳは、サービス提供会社３のパソコン３０が、商店２のパソコン２０から送信された各種の商品情報を受信する機能と、受信した各種の商品情報を基に料理のメニュー及び料理のレシピを作成する機能と、作成した料理のメニュー情報及び料理のレシピ情報をデータベース（ＤＢ）３１に登録する機能と、登録した料理のメニュー情報及び料理のレシピ情報を利用者Ｐの所持する携帯電話機４に送信する機能とを備えている。
【００６０】
本発明の食品関連サービス提供システムＳは、利用者Ｐの所持する携帯電話機４が、サービス提供会社３のパソコン３０から送信された料理のメニュー情報及び料理のレシピ情報を受信する機能と、受信した料理のメニュー情報及び料理のレシピ情報を表示部４０の表示画面４０ａに表示する機能とを備えている。
【００６１】
商品に関する各種の商品情報は、商品名，数量，価格，商店名などの情報を有している。
【００６２】
冷蔵庫１は、図１に示すように、在庫の食品などの被収納品情報を登録するデータベース１０と、利用者Ｐの所持する携帯電話機４との通信を行う通信部１１とを有している。
【００６３】
商店２は、図１に示すように、パソコン２０を有し、商店２のパソコン２０は、商品に関する各種の商品情報，本日のお買い得商品の商品情報，お買い得商品の価格，お買い得商品を使ったお勧め料理のレシピ情報などを通信回線５を経由してサービス提供会社３のパソコン３０に送信するようになっている。
【００６４】
サービス提供会社３は、図１に示すように、パソコン３０と、パソコン３０に接続されたサーバ３２と、サーバ３２に接続されたデータベース３１とを有している。
サービス提供会社３のサーバ３２は、データベース３１に登録された料理のメニュー情報，料理のレシピ情報，料理のレシピに必要な材料一覧，料理の作り方の手順情報，本日のお勧め料理のメニュー情報，料理に関する問い合わせ情報，料理のレシピの統計情報などの各種の情報を管理し、利用者Ｐからの要求に応じて各種サービスの提供を行うものである。
【００６５】
本発明の食品関連サービス提供システムＳは、サービス提供会社３のパソコン３０が、料理のレシピ毎に料理に使用する各種の食材の商品名，数量，購入価格，商店名などの料理のレシピに必要な材料一覧を作成する機能と、作成した料理のレシピに必要な材料一覧をデータベース３１に登録する機能と、料理のレシピに必要な材料一覧を利用者Ｐの所持する携帯電話機４に送信する機能とを備えている。
【００６６】
本発明の食品関連サービス提供システムＳは、サービス提供会社３のパソコン３０が、料理のレシピに応じた料理の作り方の手順を作成する機能と、作成した料理の作り方の手順情報をデータベース３１に登録する機能と、料理の作り方の手順情報を利用者Ｐの所持する携帯電話機４に送信する機能とを備えている。
【００６７】
本発明の食品関連サービス提供システムＳは、サービス提供会社３のパソコン３０が、本日のお勧め料理のメニューを作成する機能と、作成した本日のお勧め料理のメニュー情報をデータベース３１に登録する機能と、本日のお勧め料理のメニュー情報を利用者Ｐの所持する携帯電話機４に送信する機能とを備えている。
【００６８】
本発明の食品関連サービス提供システムＳは、サービス提供会社３のパソコン３０が、利用者Ｐの所持する携帯電話機４からの料理に関する問い合わせ情報をデータベース３１に登録する機能を備えている。
【００６９】
本発明の食品関連サービス提供システムＳは、サービス提供会社３のパソコン３０が、利用者Ｐに提供した料理のレシピの統計を取る機能と、料理のレシピの統計情報をデータベース３１に登録する機能と、料理のレシピの統計情報を必要に応じて商店２のパソコン２０にフィードバックする機能とを備えている。
【００７０】
本発明の食品関連サービス提供システムＳは、商店２とサービス提供会社３とが商品に関連する商品関連サービス提供の業務契約を締結し、サービス提供会社３のパソコン３０が、商店２に関する各種の商店情報をデータベース３１に登録する機能と、商店２に商店ＩＤを発行する機能と、発行した商店２を特定する商店ＩＤ情報をデータベース３１に登録する機能と、利用料金の支払い方法をデータベース３１に登録する機能とを備えている。
【００７１】
商店２に関する各種の商店情報は、商店名，職種，所在地，電話番号，屋号などの情報を有している。
【００７２】
本発明の食品関連サービス提供システムＳは、サービス提供会社３と冷蔵庫１を利用する利用者Ｐとが料理のメニュー提供の契約を締結し、サービス提供会社３のパソコン３０が、利用者Ｐに関する各種の利用者情報をデータベース３１に登録する機能と、利用者Ｐに利用者ＩＤを発行する機能と、発行した利用者Ｐを特定する利用者ＩＤ情報をデータベース３１に登録する機能とを備えている。
【００７３】
利用者Ｐに関する各種の利用者情報は、住所，氏名，携帯電話の電話番号などの情報を有している。
【００７４】
本発明の食品関連サービス提供システムＳは、利用者Ｐの所持する携帯電話機４が、サービス提供会社３のパソコン３０にアクセスする機能と、自己を特定する利用者ＩＤを入力する機能と、入力した自己を特定する利用者ＩＤをサービス提供会社３のパソコン３０に送信する機能とを備えている。
【００７５】
本発明の食品関連サービス提供システムＳは、サービス提供会社３のパソコン３０が、利用者Ｐの所持する携帯電話機４から送信された利用者Ｐを特定する利用者ＩＤを受信する機能と、受信した利用者ＩＤより利用者Ｐを識別する機能と、料理のメニュー情報を利用者Ｐの所持する携帯電話機４に送信する機能とを備えている。
【００７６】
本発明の食品関連サービス提供システムＳは、利用者Ｐの所持する携帯電話機４が、サービス提供会社３のパソコン３０から送信された料理のメニュー情報を受信する機能と、受信した料理のメニュー情報を表示部４０の表示画面４０ａに表示する機能とを備えている。
【００７７】
本発明の食品関連サービス提供システムＳは、利用者Ｐの所持する携帯電話機４が、表示部４０の表示画面４０ａに表示された料理のメニュー情報の中から作りたい料理の料理名を選択する機能と、選択した作りたい料理のレシピ情報の提供要求をサービス提供会社３のパソコン３０に送信する機能とを備えている。
【００７８】
本発明の食品関連サービス提供システムＳは、サービス提供会社３のパソコン３０が、利用者Ｐの所持する携帯電話機４から送信された作りたい料理のレシピ情報の提供要求を受信する機能と、利用者Ｐの所持する携帯電話機４からの作りたい料理のレシピ情報の提供要求に応じて該当する料理のレシピ情報をデータベース３１より読み出す機能と、読み出した料理のレシピ情報を利用者Ｐの所持する携帯電話機４に送信する機能とを備えている。
【００７９】
本発明の食品関連サービス提供システムＳは、利用者Ｐの所持する携帯電話機４が、サービス提供会社３のパソコン３０から送信された料理のレシピ情報を受信する機能と、受信した料理のレシピ情報を表示部４０の表示画面４０ａに表示する機能とを備えている。
【００８０】
本発明の食品関連サービス提供システムＳは、利用者Ｐの所持する携帯電話機４が、作りたい料理のレシピに必要な材料一覧の提供要求をサービス提供会社３のパソコン３０に送信する機能を備えている。
【００８１】
本発明の食品関連サービス提供システムＳは、サービス提供会社３のパソコン３０が、利用者Ｐの所持する携帯電話機４から送信された作りたい料理のレシピに必要な材料一覧の提供要求を受信する機能と、利用者Ｐの所持する携帯電話機４からの作りたい料理のレシピに必要な材料一覧の提供要求に応じて該当する料理のレシピに必要な材料一覧をデータベース３１より読み出す機能と、読み出した料理のレシピに必要な材料一覧を利用者Ｐの所持する携帯電話機４に送信する機能とを備えている。
【００８２】
本発明の食品関連サービス提供システムＳは、利用者Ｐの所持する携帯電話機４が、サービス提供会社３のパソコン３０から送信された料理のレシピに必要な材料一覧を受信する機能と、受信した料理のレシピに必要な材料一覧を表示部４０の表示画面４０ａに表示する機能とを備えている。
【００８３】
本発明の食品関連サービス提供システムＳは、サービス提供会社３のパソコン３０が、利用者Ｐの所持する携帯電話機４から作りたい料理の材料一覧の提供要求がある場合に、何人前の料理かを入力する機能と、料理の人数分に応じた料理のレシピに必要な材料の各商品毎の数量，価格を算出する機能と、算出した料理のレシピに必要な材料の各商品毎の数量，価格を利用者Ｐの所持する携帯電話機４に送信する機能とを備えている。
【００８４】
本発明の食品関連サービス提供システムＳは、利用者Ｐの所持する携帯電話機４が、サービス提供会社３のパソコン３０から送信された料理のレシピに必要な材料の商品名，数量，価格を受信する機能と、受信した料理のレシピに必要な材料の商品名，数量，価格を表示部４０の表示画面４０ａに表示する機能とを備えている。
【００８５】
本発明の食品関連サービス提供システムＳは、利用者Ｐの所持する携帯電話機４が、参照したい料理の作り方の手順情報の提供要求をサービス提供会社３のパソコン３０に送信する機能を備えている。
【００８６】
本発明の食品関連サービス提供システムＳは、サービス提供会社３のパソコン３０が、利用者Ｐの所持する携帯電話機４から送信された参照したい料理の作り方の手順情報の提供要求を受信する機能と、利用者Ｐの所持する携帯電話機４からの参照したい料理の作り方の手順情報の提供要求に応じて該当する料理の作り方の手順情報をデータベース３１より読み出す機能と、読み出した料理の作り方の手順情報を利用者Ｐの所持する携帯電話機４に送信する機能とを備えている。
【００８７】
本発明の食品関連サービス提供システムＳは、利用者Ｐの所持する携帯電話機４が、サービス提供会社３のパソコン３０から送信された料理の作り方の手順情報を受信する機能と、受信した料理の作り方の手順情報を表示部４０の表示画面４０ａに表示する機能とを備えている。
【００８８】
本発明の食品関連サービス提供システムＳは、商店２のパソコン２０が、本日のお買い得商品の商品情報，お買い得商品の価格，お買い得商品を使ったお勧め料理のレシピ情報をサービス提供会社３のパソコン３０に随時送信する機能を備えている。
【００８９】
本発明の食品関連サービス提供システムＳは、サービス提供会社３のパソコン３０が、商店２のパソコン２０から送信されたお買い得商品の商品情報，お買い得商品の価格，お勧め料理のレシピ情報を受信する機能と、受信したお買い得商品の商品情報，お買い得商品の価格，お勧め料理のレシピ情報をデータベース３１に登録する機能と、お買い得商品の商品情報，お買い得商品の価格，お勧め料理のレシピ情報を利用者Ｐの所持する携帯電話機４に送信する機能とを備えている。
【００９０】
本発明の食品関連サービス提供システムＳは、利用者Ｐの所持する携帯電話機４が、サービス提供会社３のパソコン３０から送信されたお買い得商品の商品情報，お買い得商品の価格，お勧め料理のレシピ情報を受信する機能と、受信したお買い得商品の商品情報，お買い得商品の価格，お勧め料理のレシピ情報を表示部４０の表示画面４０ａに表示する機能とを備えている。
【００９１】
本発明の食品関連サービス提供システムＳは、サービス提供会社３のパソコン３０が、お勧め料理のレシピに必要な材料一覧をデータベース３１に登録する機能と、お勧め料理のレシピに必要な材料一覧を利用者Ｐの所持する携帯電話機４に送信する機能とを備えている。
【００９２】
本発明の食品関連サービス提供システムＳは、利用者Ｐの所持する携帯電話機４が、サービス提供会社３のパソコン３０から送信されたお勧め料理のレシピに必要な材料一覧を受信する機能と、受信したお勧め料理のレシピに必要な材料一覧を表示部４０の表示画面４０ａに表示する機能とを備えている。
【００９３】
本発明の食品関連サービス提供システムＳは、商店２のパソコン２０が、商品の賞味期限年月日，消費期限年月日をサービス提供会社３のパソコン３０に送信する機能を備えている。
【００９４】
本発明の食品関連サービス提供システムＳは、サービス提供会社３のパソコン３０が、商店２のパソコン２０から送信された商品の賞味期限年月日，消費期限年月日を受信する機能と、受信した商品の賞味期限年月日，消費期限年月日をデータベース３１に登録する機能と、商品の賞味期限年月日，消費期限年月日を利用者Ｐの所持する携帯電話機４に送信する機能とを備えている。
【００９５】
本発明の食品関連サービス提供システムＳは、利用者Ｐの所持する携帯電話機４が、サービス提供会社３のパソコン３０から送信された商品の賞味期限年月日，消費期限年月日を受信する機能と、受信した商品の賞味期限年月日，消費期限年月日を表示部４０の表示画面４０ａに表示する機能とを備えている。
【００９６】
本発明の食品関連サービス提供システムＳは、利用者Ｐの所持する携帯電話機４が、在庫の被収納品を冷蔵庫１に問い合わせる機能と、冷蔵庫１に付与したＩＰｖ６番号に接続する機能とを備えている。
【００９７】
本発明の食品関連サービス提供システムＳは、冷蔵庫１が、利用者Ｐの所持する携帯電話機４からの在庫の被収納品の問い合わせに対して、在庫の被収納品情報をデータベース１０から読み出す機能と、読み出した在庫の被収納品情報を通信部１１から利用者Ｐの所持する携帯電話機４に送信する機能とを備えている。
【００９８】
本発明の食品関連サービス提供システムＳは、利用者Ｐの所持する携帯電話機４が、冷蔵庫１の通信部１１から送信された在庫の被収納品情報を受信する機能と、受信した冷蔵庫１内の在庫の被収納品情報を表示部４０の表示画面４０ａに表示する機能とを備えている。
【００９９】
本発明の食品関連サービス提供システムＳは、利用者Ｐの所持する携帯電話機４が、冷蔵庫１内の在庫の被収納品情報が入力された場合に、冷蔵庫１内の在庫の被収納品情報をサービス提供会社３のパソコン３０に送信する機能を備えている。
【０１００】
本発明の食品関連サービス提供システムＳは、サービス提供会社３のパソコン３０が、利用者Ｐの所持する携帯電話機４から送信された冷蔵庫１内の在庫の被収納品情報を受信する機能と、受信した冷蔵庫１内の在庫の被収納品情報をデータベース３１に登録する機能とを備えている。
【０１０１】
本発明の食品関連サービス提供システムＳは、サービス提供会社３のパソコン３０が、利用者Ｐの作りたい料理のレシピに必要な材料に不足品がある場合に、料理のレシピに必要な材料の不足分を算出する機能と、算出した材料の不足分から料理のレシピに必要な材料の不足品一覧を作成する機能と、作成した料理のレシピに必要な材料の不足品一覧を利用者Ｐの所持する携帯電話機４に送信する機能とを備えている。
【０１０２】
本発明の食品関連サービス提供システムＳは、利用者Ｐの所持する携帯電話機４が、サービス提供会社３のパソコン３０から送信された料理のレシピに必要な材料の不足品一覧を受信する機能と、受信した料理のレシピに必要な材料の不足品一覧を表示部４０の表示画面４０ａに表示する機能とを備えている。
【０１０３】
本発明の食品関連サービス提供システムＳは、利用者Ｐの所持する携帯電話機４が、新たに購入する商品の発注をサービス提供会社３のパソコン３０に対して依頼する機能と、新たに購入する商品を発注する場合に、新たに購入する商品の受取り方法を選択する機能と、選択した新たに購入する商品の受取り方法をサービス提供会社３のパソコン３０に送信する機能とを備えている。
【０１０４】
本発明の食品関連サービス提供システムＳは、サービス提供会社３のパソコン３０が、利用者Ｐの所持する携帯電話機４から送信された新たに購入する商品の受取り方法を受信する機能と、受信した新たに購入する商品の受取り方法をデータベース３１に登録する機能と、商品の受渡し場所，商品の受渡し時刻，購入価格を利用者Ｐの所持する携帯電話機４に送信する機能とを備えている。
【０１０５】
本発明の食品関連サービス提供システムＳは、利用者Ｐの所持する携帯電話機４が、サービス提供会社３のパソコン３０から送信された商品の受渡し場所，商品の受渡し時刻，商品の購入価格を受信する機能と、受信した商品の受渡し場所，商品の受渡し時刻，商品の購入価格を表示部４０の表示画面４０ａに表示する機能とを備えている。
【０１０６】
本発明の食品関連サービス提供システムＳは、サービス提供会社３のパソコン３０が、新たに購入する商品の受取り方法が手渡しである場合に、商品の購入ルート，商品の受渡し時刻を利用者Ｐの所持する携帯電話機４に送信する機能を備えている。
【０１０７】
本発明の食品関連サービス提供システムＳは、利用者Ｐの所持する携帯電話機４が、サービス提供会社３のパソコン３０から送信された商品の購入ルート，商品の受渡し時刻を受信する機能と、受信した商品の購入ルート，商品の受渡し時刻を表示部４０の表示画面４０ａに表示する機能とを備えている。
【０１０８】
本発明の食品関連サービス提供システムＳは、サービス提供会社３のパソコン３０が、新たに購入する商品の受取り方法が一括受取りである場合に、商品の受取り場所，商品の受取り時刻を利用者Ｐの所持する携帯電話機４に送信する機能を備えている。
【０１０９】
本発明の食品関連サービス提供システムＳは、利用者Ｐの所持する携帯電話機４が、サービス提供会社３のパソコン３０から送信された商品の受取り場所，商品の受取り時刻を受信する機能と、受信した商品の受取り場所，商品の受取り時刻を表示部４０の表示画面４０ａに表示する機能とを備えている。
【０１１０】
本発明の食品関連サービス提供システムＳは、利用者Ｐの所持する携帯電話機４が、各商店２への商品の購入代金の支払い方法を指定する機能と、指定した商品の購入代金の支払い方法をサービス提供会社３のパソコン３０に送信する機能とを備えている。
【０１１１】
本発明の食品関連サービス提供システムＳは、サービス提供会社３のパソコン３０が、利用者Ｐの所持する携帯電話機４から送信された商品の購入代金の支払い方法を受信する機能と、受信した商品の購入代金の支払い方法をデータベース３１に登録する機能と、商品の購入代金の支払い方法が指定された場合に、新たに購入する商品を商店２に発注する機能とを備えている。
【０１１２】
本発明の食品関連サービス提供システムＳは、サービス提供会社３のパソコン３０が、商店２または利用者Ｐとの商品の取引き情報などのログを取る機能と、ログ情報をデータベース３１に登録する機能とを備えている。
【０１１３】
図２は本発明の食品関連サービス提供システムにおける携帯通信端末の表示部の表示画面の一例を示す説明図である。
携帯電話機４の表示部４０の表示画面４０ａには、図２に示すように、リクエストした料理に使用する各種の食材の商品名，数量，購入価格，商店名などの料理のレシピに必要な材料一覧が表示される。
【０１１４】
図３は本発明の食品関連サービス提供システムにおけるサービス提供会社から商店への商店ＩＤ発行時の処理フロー図である。
ステップＳ１００でスタートした処理は、サービス提供会社３から商店２への商店ＩＤ発行時に、まず、ステップＳ１０１で商店２とサービス提供会社３とが商品に関連する商品関連サービス提供の業務契約を締結し、次いで、ステップＳ１０２でサービス提供会社３のパソコン３０が商店２に関する各種の商店情報をデータベース３１に登録し、次いで、ステップＳ１０３でサービス提供会社３が商店２に対して商店ＩＤを発行し、次いで、ステップＳ１０４でサービス提供会社３のパソコン３０が発行した商店２を特定する商店ＩＤ情報をデータベース３１に登録し、次いで、ステップＳ１０５でサービス提供会社３のパソコン３０が利用料金の支払い方法をデータベース３１に登録する。
【０１１５】
図４は本発明の食品関連サービス提供システムにおけるサービス提供会社から利用者への利用者ＩＤ発行時の処理フロー図である。
ステップＳ２００でスタートした処理は、サービス提供会社３から利用者Ｐへの利用者ＩＤ発行時に、まず、ステップＳ２０１でサービス提供会社３と冷蔵庫１を利用する利用者Ｐとが料理のメニュー提供の契約を締結し、次いで、ステップＳ２０２でサービス提供会社３のパソコン３０が利用者Ｐに関する各種の利用者情報をデータベース３１に登録し、次いで、ステップＳ２０３でサービス提供会社３が利用者Ｐに対して利用者ＩＤを発行し、次いで、ステップＳ２０４でサービス提供会社３のパソコン３０が発行した利用者Ｐを特定する利用者ＩＤ情報をデータベース３１に登録する。
【０１１６】
図５は本発明の食品関連サービス提供システムにおける料理のメニュー情報及び料理のレシピ情報のサービス提供会社のデータベースへの登録時の処理フロー図である。
ステップＳ３００でスタートした処理は、料理のメニュー情報及び料理のレシピ情報のサービス提供会社３のデータベース３１への登録時に、まず、ステップＳ３０１で商店２のパソコン２０が商品に関する各種の商品情報を通信回線５を経由してサービス提供会社３のパソコン３０に送信し、次いで、ステップＳ３０２でサービス提供会社３のパソコン３０が商店２のパソコン２０から送信された商品に関する各種の商品情報を受信し、次いで、ステップＳ３０３でサービス提供会社３のパソコン３０が受信した商品に関する各種の商品情報を基に料理のメニュー及び料理のレシピを作成し、次いで、ステップＳ３０４でサービス提供会社３のパソコン３０が作成した料理のメニュー情報及び料理のレシピ情報をデータベース３１に登録する。
【０１１７】
次いで、ステップＳ３０５でサービス提供会社３のパソコン３０が料理のレシピ毎に料理に使用する各種の食材の商品名，数量，購入価格，商店名などの料理のレシピに必要な材料一覧を作成し、次いで、ステップＳ３０６でサービス提供会社３のパソコン３０が作成した料理のレシピに必要な材料一覧をデータベース３１に登録する。
【０１１８】
次いで、ステップＳ３０７でサービス提供会社３のパソコン３０が料理のレシピに応じた料理の作り方の手順を作成し、次いで、ステップＳ３０８でサービス提供会社３のパソコン３０が作成した料理の作り方の手順情報をデータベース３１に登録する。
【０１１９】
次いで、ステップＳ３０９でサービス提供会社３のパソコン３０が本日のお勧め料理のメニューを作成し、次いで、ステップＳ３１０でサービス提供会社３のパソコン３０が作成した本日のお勧め料理のメニュー情報をデータベース３１に登録する。
【０１２０】
図６は本発明の食品関連サービス提供システムにおける商店から提供された商品に関する各種の商品情報のサービス提供会社のデータベースへの登録時の処理フロー図である。
ステップＳ４００でスタートした処理は、商店２から提供された商品に関する各種の商品情報のサービス提供会社３のデータベース３１への登録時に、まず、ステップＳ４０１で商店２のパソコン２０が本日のお買い得商品の商品情報，お買い得商品の価格，お買い得商品を使ったお勧め料理のレシピ情報を通信回線５を経由してサービス提供会社３のパソコン３０に随時送信し、次いで、ステップＳ４０２でサービス提供会社３のパソコン３０が商店２のパソコン２０から送信されたお買い得商品の商品情報，お買い得商品の価格，お勧め料理のレシピ情報を受信し、次いで、ステップＳ４０３でサービス提供会社３のパソコン３０が受信したお買い得商品の商品情報，お買い得商品の価格，お勧め料理のレシピ情報をデータベース３１に登録し、次いで、ステップＳ４０４でサービス提供会社３のパソコン３０がお勧め料理のレシピに必要な材料一覧をデータベース３１に登録する。
【０１２１】
次いで、ステップＳ４０５で商店２のパソコン２０が商品の賞味期限年月日，消費期限年月日を通信回線５を経由してサービス提供会社３のパソコン３０に送信し、次いで、ステップＳ４０６でサービス提供会社３のパソコン３０が商店２のパソコン２０から送信された商品の賞味期限年月日，消費期限年月日を受信し、次いで、ステップＳ４０７でサービス提供会社３のパソコン３０が受信した商品の賞味期限年月日，消費期限年月日をデータベース３１に登録する。
【０１２２】
図７及び図８は本発明の食品関連サービス提供システムにおける利用者からサービス提供会社への料理に関する問い合わせ時の処理フロー図である。
ステップＳ５００でスタートした処理は、利用者Ｐからサービス提供会社３への料理に関する問い合わせ時に、まず、ステップＳ５０１で利用者Ｐの所持する携帯電話機４が通信回線５を経由してサービス提供会社３のパソコン３０にアクセスし、次いで、ステップＳ５０２で利用者Ｐが携帯電話機４に自己を特定する利用者ＩＤを入力し、次いで、ステップＳ５０３で利用者Ｐの所持する携帯電話機４が入力した自己を特定する利用者ＩＤを通信回線５を経由してサービス提供会社３のパソコン３０に送信する。
【０１２３】
次いで、ステップＳ５０４でサービス提供会社３のパソコン３０が利用者Ｐの所持する携帯電話機４から送信された利用者Ｐを特定する利用者ＩＤを受信し、次いで、ステップＳ５０５でサービス提供会社３のパソコン３０が受信した利用者ＩＤより利用者Ｐを識別し、次いで、ステップＳ５０６でサービス提供会社３のパソコン３０が料理のメニュー情報を通信回線５を経由して利用者Ｐの所持する携帯電話機４に送信する。
【０１２４】
次いで、ステップＳ５０７で利用者Ｐの所持する携帯電話機４がサービス提供会社３のパソコン３０から送信された料理のメニュー情報を受信し、次いで、ステップＳ５０８で利用者Ｐの所持する携帯電話機４が受信した料理のメニュー情報を表示部４０の表示画面４０ａに表示する。
【０１２５】
次いで、ステップＳ５０９で利用者Ｐが携帯電話機４の表示部４０の表示画面４０ａに表示された料理のメニュー情報の中から作りたい料理の料理名を選択し、次いで、ステップＳ５１０で利用者Ｐの所持する携帯電話機４が選択した作りたい料理のレシピ情報の提供要求を通信回線５を経由してサービス提供会社３のパソコン３０に送信する。
【０１２６】
次いで、ステップＳ５１１でサービス提供会社３のパソコン３０が利用者Ｐの所持する携帯電話機４から送信された作りたい料理のレシピ情報の提供要求を受信し、次いで、ステップＳ５１２でサービス提供会社３のパソコン３０が利用者Ｐの所持する携帯電話機４からの作りたい料理のレシピ情報の提供要求に応じて該当する料理のレシピ情報をデータベース３１より読み出し、次いで、ステップＳ５１３でサービス提供会社３のパソコン３０が読み出した料理のレシピ情報を通信回線５を経由して利用者Ｐの所持する携帯電話機４に送信する。
【０１２７】
次いで、ステップＳ５１４で利用者Ｐの所持する携帯電話機４がサービス提供会社３のパソコン３０から送信された料理のレシピ情報を受信し、次いで、ステップＳ５１５で利用者Ｐの所持する携帯電話機４が受信した料理のレシピ情報を表示部４０の表示画面４０ａに表示し、次いで、ステップＳ５１６でリクエストした料理のレシピ情報の表示がＯＫであるか否かを判断する。
【０１２８】
ステップＳ５１６において、リクエストした料理のレシピ情報の表示がＯＫである場合は、ステップＳ５１７で利用者Ｐからの作りたい料理のレシピに必要な材料一覧の提供要求であるか否かを判断する。
【０１２９】
ステップＳ５１６において、リクエストした料理のレシピ情報の表示がＯＫでない場合は、ステップＳ５０６に戻り、ステップＳ５０６でサービス提供会社３のパソコン３０が料理のメニュー情報を通信回線５を経由して利用者Ｐの所持する携帯電話機４に送信する。
【０１３０】
ステップＳ５１７において、利用者Ｐからの作りたい料理のレシピに必要な材料一覧の提供要求である場合は、ステップＳ５１８で利用者Ｐが携帯電話機４に何人前の料理かを入力し、次いで、ステップＳ５１９でサービス提供会社３のパソコン３０が料理の人数分に応じた料理のレシピに必要な材料の各商品毎の数量，価格を算出し、次いで、ステップＳ５２０でサービス提供会社３のパソコン３０が算出した料理のレシピに必要な材料の各商品毎の数量，価格を通信回線５を経由して利用者Ｐの所持する携帯電話機４に送信する。
【０１３１】
次いで、ステップＳ５２１で利用者Ｐの所持する携帯電話機４がサービス提供会社３のパソコン３０から送信された料理のレシピに必要な材料の商品名，数量，価格を受信し、次いで、ステップＳ５２２で利用者Ｐの所持する携帯電話機４が受信した料理のレシピに必要な材料の商品名，数量，価格を表示部４０の表示画面４０ａに表示する。
【０１３２】
次いで、ステップＳ５２３でサービス提供会社３のパソコン３０が利用者Ｐの所持する携帯電話機４からの料理に関する問い合わせ情報をデータベース３１に登録し、次いで、ステップＳ５２４でサービス提供会社３のパソコン３０が利用者Ｐに提供した料理のレシピの統計を取り、次いで、ステップＳ５２５でサービス提供会社３のパソコン３０が料理のレシピの統計情報をデータベース３１に登録し、次いで、ステップＳ５２６でサービス提供会社３のパソコン３０が料理のレシピの統計情報を必要に応じて商店２のパソコン２０にフィードバックする。
【０１３３】
図９及び図１０は本発明の食品関連サービス提供システムにおける利用者から冷蔵庫への在庫の被収納品の問い合わせ時の処理フロー図である。
ステップＳ６００でスタートした処理は、利用者Ｐから冷蔵庫１への在庫の被収納品の問い合わせ時に、まず、ステップＳ６０１で利用者Ｐが携帯電話機４を通信回線５を経由して冷蔵庫１に付与したＩＰｖ６番号に接続し、次いで、ステップＳ６０２で冷蔵庫１が利用者Ｐの所持する携帯電話機４からの在庫の被収納品の問い合わせに対して在庫の被収納品情報をデータベース１０から読み出し、次いで、ステップＳ６０３で冷蔵庫１が読み出した在庫の被収納品情報を通信部１１から通信回線５を経由して利用者Ｐの所持する携帯電話機４に送信する。
【０１３４】
次いで、ステップＳ６０４で利用者Ｐの所持する携帯電話機４が冷蔵庫１の通信部１１から送信された在庫の被収納品情報を受信し、次いで、ステップＳ６０５で利用者Ｐの所持する携帯電話機４が受信した冷蔵庫１内の在庫の被収納品情報を表示部４０の表示画面４０ａに表示し、次いで、ステップＳ６０６で冷蔵庫１内の在庫の被収納品情報が入力された否かを判断する。
【０１３５】
ステップＳ６０６において、冷蔵庫１内の在庫の被収納品情報が入力された場合は、ステップＳ６０７で利用者Ｐの所持する携帯電話機４が冷蔵庫１内の在庫の被収納品情報を通信回線５を経由してサービス提供会社３のパソコン３０に送信し、次いで、ステップＳ６０８で利用者Ｐの作りたい料理のレシピに必要な材料に不足品があるか否かを判断する。
【０１３６】
ステップＳ６０６において、冷蔵庫１内の在庫の被収納品情報が入力されていない場合は、ステップＳ６０８に移行し、ステップＳ６０８で利用者Ｐの作りたい料理のレシピに必要な材料に不足品があるか否かを判断する。
【０１３７】
ステップＳ６０８において、利用者Ｐの作りたい料理のレシピに必要な材料に不足品がある場合は、ステップＳ６０９でサービス提供会社３のパソコン３０が料理のレシピに必要な材料の不足分を算出し、次いで、ステップＳ６１０でサービス提供会社３のパソコン３０が算出した材料の不足分から料理のレシピに必要な材料の不足品一覧を作成し、次いで、ステップＳ６１１でサービス提供会社３のパソコン３０が作成した料理のレシピに必要な材料の不足品一覧を通信回線５を経由して利用者Ｐの所持する携帯電話機４に送信する。
【０１３８】
次いで、ステップＳ６１２で利用者Ｐの所持する携帯電話機４がサービス提供会社３のパソコン３０から送信された料理のレシピに必要な材料の不足品一覧を受信し、次いで、ステップＳ６１３で利用者Ｐの所持する携帯電話機４が受信した料理のレシピに必要な材料の不足品一覧を表示部４０の表示画面４０ａに表示し、次いで、ステップＳ６１４で新たに購入する商品の発注であるか否かを判断する。
【０１３９】
ステップＳ６０８において、利用者Ｐの作りたい料理のレシピに必要な材料に不足品がない場合は、ステップＳ６１４に移行し、ステップＳ６１４で新たに購入する商品の発注であるか否かを判断する。
【０１４０】
ステップＳ６１４において、新たに購入する商品の発注である場合は、ステップＳ６１５で利用者Ｐが各商店２への商品の購入代金の支払い方法を指定し、次いで、ステップＳ６１６で利用者Ｐの所持する携帯電話機４が指定した商品の購入代金の支払い方法を通信回線５を経由してサービス提供会社３のパソコン３０に送信し、次いで、ステップＳ６１７でサービス提供会社３のパソコン３０が利用者Ｐの所持する携帯電話機４から送信された商品の購入代金の支払い方法を受信し、次いで、ステップＳ６１８でサービス提供会社３のパソコン３０が受信した商品の購入代金の支払い方法をデータベース３１に登録し、次いで、ステップＳ６１９で商品の購入代金の支払い方法の指定がＯＫであるか否かを判断する。
【０１４１】
ステップＳ６１９において、商品の購入代金の支払い方法の指定がＯＫである場合は、ステップＳ６２０でサービス提供会社３のパソコン３０が新たに購入する商品を商店２に発注する。
【０１４２】
ステップＳ６１９において、商品の購入代金の支払い方法の指定がＯＫでない場合は、ステップＳ６１５に戻り、ステップＳ６１５で利用者Ｐが各商店２への商品の購入代金の支払い方法を指定する。
【０１４３】
【発明の効果】
以上に述べたように、本発明の食品関連サービス提供システムによれば、利用者が携帯通信端末から冷蔵庫に付与したＩＰｖ６番号へ接続するのみで、冷蔵庫の内部に収納されている在庫の被収納品情報を冷蔵庫のデータベースにあらかじめ登録しておけば、在庫の被収納品情報を冷蔵庫のデータベースにより自己管理することができ、冷蔵庫が在庫の被収納品情報を通信部から利用者の所持する携帯通信端末に送信するので、在庫の被収納品情報を冷蔵庫の通信部から通信回線を経由して利用者の所持する携帯通信端末に確実に伝送することができる。
【０１４４】
また、商店のパソコンが商品に関する各種の商品情報をサービス提供会社のパソコンに送信するので、商品に関する各種の商品情報を商店のパソコンから通信回線を経由してサービス提供会社のパソコンに確実に伝送することができる。
【０１４５】
また、サービス提供会社のパソコンが商店のパソコンから送信された商品に関する各種の商品情報を受信するので、サービス提供会社が商品に関する各種の商品情報を商店のパソコンから自動的に入手することができ、サービス提供会社のパソコンが受信した各種の商品情報を基に料理のメニュー及び料理のレシピを作成するので、利用者が自ら料理のメニュー及び料理のレシピを考える必要がなく、食事の献立を悩むことなく簡単に決定することができ、サービス提供会社のパソコンが作成した料理のメニュー情報及び料理のレシピ情報をデータベースに登録するので、料理のメニュー情報及び料理のレシピ情報をサービス提供会社のデータベースにより集中管理することができ、サービス提供会社のパソコンが登録した料理のメニュー情報及び料理のレシピ情報を利用者の所持する携帯通信端末に送信するので、料理のメニュー情報及び料理のレシピ情報をサービス提供会社のパソコンから通信回線を経由して利用者の所持する携帯通信端末に確実に伝送することができる。
【０１４６】
さらに、利用者の所持する携帯通信端末がサービス提供会社のパソコンから送信された料理のメニュー情報及び料理のレシピ情報を受信するので、利用者が料理のメニュー情報及び料理のレシピ情報をサービス提供会社のパソコンから自動的に入手することができ、利用者の所持する携帯通信端末が受信した料理のメニュー情報及び料理のレシピ情報を表示部に表示させるので、利用者が携帯通信端末の表示部に表示された料理のメニュー情報及び料理のレシピ情報の内容を目視で確認することができ、冷蔵庫を利用する利用者に料理のメニュー情報及び料理のレシピ情報をサービス提供会社より提供することができ、利用者が料理のメニュー情報及び料理のレシピ情報の内容を目で見ながら調理を行うことができる。
【０１４７】
本発明の食品関連サービス提供システムによれば、サービス提供会社のパソコンが料理のレシピ毎に料理に使用する各種の食材の商品名，数量，購入価格，商店名などの料理のレシピに必要な材料一覧を作成するので、料理のレシピに必要な材料を利用者に分かり易い一覧表にまとめることができ、作成した料理のレシピに必要な材料一覧をデータベースに登録するので、料理のレシピに必要な材料一覧をサービス提供会社のデータベースにより管理することができ、サービス提供会社のパソコンが料理のレシピに必要な材料一覧を利用者の所持する携帯通信端末に送信するので、料理のレシピに必要な材料一覧をサービス提供会社のパソコンから通信回線を経由して利用者の所持する携帯通信端末に確実に伝送することができる。
【０１４８】
本発明の食品関連サービス提供システムによれば、サービス提供会社のパソコンが料理のレシピに応じた料理の作り方の手順を作成するので、利用者が料理のレシピに応じた料理の作り方の手順を覚える必要がなく、サービス提供会社のパソコンが作成した料理の作り方の手順情報をデータベースに登録するので、料理の作り方の手順情報をサービス提供会社のデータベースにより管理することができ、サービス提供会社のパソコンが料理の作り方の手順情報を利用者の所持する携帯通信端末に送信するので、料理の作り方の手順情報をサービス提供会社のパソコンから通信回線を経由して利用者の所持する携帯通信端末に確実に伝送することができる。
【０１４９】
本発明の食品関連サービス提供システムによれば、サービス提供会社のパソコンが本日のお勧め料理のメニューを作成すると共に、作成した本日のお勧め料理のメニュー情報をデータベースに登録するので、本日のお勧め料理のメニュー情報をサービス提供会社のデータベースにより管理することができ、サービス提供会社のパソコンが本日のお勧め料理のメニュー情報を利用者の所持する携帯通信端末に送信するので、本日のお勧め料理のメニュー情報をサービス提供会社のパソコンから通信回線を経由して利用者の所持する携帯通信端末に確実に伝送することができる。
【０１５０】
本発明の食品関連サービス提供システムによれば、サービス提供会社のパソコンが利用者の所持する携帯通信端末からの料理に関する問い合わせ情報をデータベースに登録するので、料理に関する問い合わせ情報をサービス提供会社のデータベースにより管理することができる。
【０１５１】
本発明の食品関連サービス提供システムによれば、サービス提供会社のパソコンが利用者に提供した料理のレシピの統計を取ると共に、料理のレシピの統計情報をデータベースに登録するので、料理のレシピの統計情報をサービス提供会社のデータベースにより管理することができ、サービス提供会社のパソコンが料理のレシピの統計情報を必要に応じて商店のパソコンにフィードバックするので、料理のレシピの統計情報をサービス提供会社のパソコンから通信回線を経由して商店のパソコンに通知することができる。
【０１５２】
本発明の食品関連サービス提供システムによれば、商店とサービス提供会社とが商品に関連する商品関連サービス提供の業務契約を締結するのみで、サービス提供会社が業務契約した商店に代って利用者への商品関連サービスを提供する業務を代行することができ、サービス提供会社のパソコンが商店に関する各種の商店情報をデータベースに登録するので、商店に関する各種の商店情報をサービス提供会社のデータベースにより管理することができ、サービス提供会社のパソコンが商店に商店ＩＤを発行するので、商店を識別する商店ＩＤをサービス提供会社のパソコンから商店に対して付与することができ、サービス提供会社のパソコンが発行した商店を特定する商店ＩＤ情報をデータベースに登録するので、商店を特定する商店ＩＤ情報をサービス提供会社のデータベースにより管理することができ、サービス提供会社のパソコンが利用料金の支払い方法をデータベースに登録するので、利用料金の支払い方法をサービス提供会社のデータベースにより管理することができる。
【０１５３】
本発明の食品関連サービス提供システムによれば、サービス提供会社と冷蔵庫を利用する利用者とが料理のメニュー提供の契約を締結するのみで、サービス提供会社が契約した利用者に対して料理のメニューを提供することができ、サービス提供会社のパソコンが利用者に関する各種の利用者情報をデータベースに登録するので、利用者に関する各種の利用者情報をサービス提供会社のデータベースにより管理することができ、サービス提供会社のパソコンが利用者に利用者ＩＤを発行するので、利用者を識別する利用者ＩＤをサービス提供会社のパソコンから利用者に対して付与することができ、サービス提供会社のパソコンが発行した利用者を特定する利用者ＩＤ情報をデータベースに登録するので、利用者ＩＤ情報をサービス提供会社のデータベースにより管理することができる。
【０１５４】
本発明の食品関連サービス提供システムによれば、利用者の所持する携帯通信端末がサービス提供会社のパソコンにアクセスする機能を備えているので、利用者の所持する携帯通信端末とサービス提供会社のパソコンとの間での通信を行うことができ、利用者が携帯通信端末に自己を特定する利用者ＩＤを入力するのみで、利用者の所持する携帯通信端末が入力した自己を特定する利用者ＩＤをサービス提供会社のパソコンに送信するので、利用者ＩＤを利用者の所持する携帯通信端末から通信回線を経由してサービス提供会社のパソコンに確実に伝送することができる。
【０１５５】
本発明の食品関連サービス提供システムによれば、サービス提供会社のパソコンが利用者の所持する携帯通信端末から送信された利用者を特定する利用者ＩＤを受信するので、サービス提供会社が利用者ＩＤを利用者の所持する携帯通信端末から自動的に入手することができ、サービス提供会社のパソコンが受信した利用者ＩＤより利用者を識別するので、利用者の確認を行うことができ、サービス提供会社のパソコンが料理のメニュー情報を利用者の所持する携帯通信端末に送信するので、料理のメニュー情報をサービス提供会社のパソコンから利用者の所持する携帯通信端末に確実に伝送することができる。
【０１５６】
本発明の食品関連サービス提供システムによれば、利用者の所持する携帯通信端末がサービス提供会社のパソコンから送信された料理のメニュー情報を受信するので、利用者が料理のメニュー情報をサービス提供会社のパソコンから自動的に入手することができ、利用者の所持する携帯通信端末が受信した料理のメニュー情報を表示部に表示させるので、利用者が携帯通信端末の表示部に表示された料理のメニュー情報の内容を目視で確認することができる。
【０１５７】
本発明の食品関連サービス提供システムによれば、利用者が携帯通信端末の表示部に表示された料理のメニュー情報の中から作りたい料理の料理名を選択するのみで、利用者の所持する携帯通信端末が選択した作りたい料理のレシピ情報の提供要求をサービス提供会社のパソコンに送信するので、作りたい料理のレシピ情報の提供要求を利用者の所持する携帯通信端末から通信回線を経由してサービス提供会社のパソコンに確実に伝送することができる。
【０１５８】
本発明の食品関連サービス提供システムによれば、サービス提供会社のパソコンが利用者の所持する携帯通信端末から送信された作りたい料理のレシピ情報の提供要求を受信するので、サービス提供会社が作りたい料理のレシピ情報の提供要求を利用者の所持する携帯通信端末から自動的に入手することができ、サービス提供会社のパソコンが利用者の所持する携帯通信端末からの作りたい料理のレシピ情報の提供要求に応じて該当する料理のレシピ情報をデータベースより読み出すと共に、読み出した料理のレシピ情報を利用者の所持する携帯通信端末に送信するので、料理のレシピ情報をサービス提供会社のパソコンから通信回線を経由して利用者の所持する携帯通信端末に確実に伝送することができる。
【０１５９】
本発明の食品関連サービス提供システムによれば、利用者の所持する携帯通信端末がサービス提供会社のパソコンから送信された料理のレシピ情報を受信するので、利用者がリクエストした料理のレシピ情報をサービス提供会社のパソコンから自動的に入手することができ、利用者の所持する携帯通信端末が受信した料理のレシピ情報を表示部に表示させるので、利用者が携帯通信端末の表示部に表示されたリクエストした料理のレシピ情報の内容を目視で確認することができる。
【０１６０】
本発明の食品関連サービス提供システムによれば、利用者の所持する携帯通信端末が作りたい料理のレシピに必要な材料一覧の提供要求をサービス提供会社のパソコンに送信するので、利用者が作りたい料理のレシピに必要な材料一覧の提供を要求していることを携帯通信端末からサービス提供会社へと伝達することができる。
【０１６１】
本発明の食品関連サービス提供システムによれば、サービス提供会社のパソコンが利用者の所持する携帯通信端末から送信された作りたい料理のレシピに必要な材料一覧の提供要求を受信するので、サービス提供会社が作りたい料理のレシピに必要な材料一覧の提供要求を利用者の所持する携帯通信端末から自動的に入手することができ、サービス提供会社のパソコンが利用者の所持する携帯通信端末からの作りたい料理のレシピに必要な材料一覧の提供要求に応じて該当する料理のレシピに必要な材料一覧をデータベースより読み出すと共に、読み出した料理のレシピに必要な材料一覧を利用者の所持する携帯通信端末に送信するので、料理のレシピに必要な材料一覧をサービス提供会社のパソコンから通信回線を経由して利用者の所持する携帯通信端末に確実に伝送することができる。
【０１６２】
本発明の食品関連サービス提供システムによれば、利用者の所持する携帯通信端末がサービス提供会社のパソコンから送信された料理のレシピに必要な材料一覧を受信するので、利用者が料理のレシピに必要な材料一覧をサービス提供会社のパソコンから自動的に入手することができ、利用者の所持する携帯通信端末が受信した料理のレシピに必要な材料一覧を表示部に表示させるので、利用者が携帯通信端末の表示部に表示された料理のレシピに必要な材料一覧を目視で確認することができる。
【０１６３】
本発明の食品関連サービス提供システムによれば、利用者の所持する携帯通信端末から作りたい料理の材料一覧の提供要求がある場合に、利用者が携帯通信端末に何人前の料理かを入力するのみで、サービス提供会社のパソコンが料理の人数分に応じた料理のレシピに必要な材料の各商品毎の数量，価格を算出するので、料理のレシピに必要な材料の各商品毎の数量，価格をサービス提供会社のパソコンにより自動的に計算して求めることができ、サービス提供会社のパソコンが算出した料理のレシピに必要な材料の各商品毎の数量，価格を利用者の所持する携帯通信端末に送信するので、料理のレシピに必要な材料の商品名，数量，価格をサービス提供会社のパソコンから通信回線を経由して利用者の所持する携帯通信端末に確実に伝送することができる。
【０１６４】
本発明の食品関連サービス提供システムによれば、利用者の所持する携帯通信端末がサービス提供会社のパソコンから送信された料理のレシピに必要な材料の商品名，数量，価格を受信するので、利用者が料理のレシピに必要な材料の商品名，数量，価格をサービス提供会社のパソコンから自動的に入手することができ、利用者の所持する携帯通信端末が受信した料理のレシピに必要な材料の商品名，数量，価格を表示部に表示させるので、利用者が携帯通信端末の表示部に表示された料理のレシピに必要な材料の商品名，数量，価格を目視で確認することができる。
【０１６５】
本発明の食品関連サービス提供システムによれば、利用者の所持する携帯通信端末が参照したい料理の作り方の手順情報の提供要求をサービス提供会社のパソコンに送信するので、参照したい料理の作り方の手順情報の提供要求を利用者の所持する携帯通信端末から通信回線を経由してサービス提供会社のパソコンに確実に伝送することができる。
【０１６６】
本発明の食品関連サービス提供システムによれば、サービス提供会社のパソコンが利用者の所持する携帯通信端末から送信された参照したい料理の作り方の手順情報の提供要求を受信するので、サービス提供会社が参照したい料理の作り方の手順情報の提供要求を利用者の所持する携帯通信端末から自動的に入手することができ、サービス提供会社のパソコンが利用者の所持する携帯通信端末からの参照したい料理の作り方の手順情報の提供要求に応じて該当する料理の作り方の手順情報をデータベースより読み出すと共に、読み出した料理の作り方の手順情報を利用者の所持する携帯通信端末に送信するので、料理の作り方の手順情報をサービス提供会社のパソコンから通信回線を経由して利用者の所持する携帯通信端末に確実に伝送することができる。
【０１６７】
本発明の食品関連サービス提供システムによれば、利用者の所持する携帯通信端末がサービス提供会社のパソコンから送信された料理の作り方の手順情報を受信するので、利用者が料理の作り方の手順情報をサービス提供会社のパソコンから自動的に入手することができ、利用者の所持する携帯通信端末が受信した料理の作り方の手順情報を表示部に表示させるので、利用者が携帯通信端末の表示部に表示された料理の作り方の手順情報の内容を目視で確認することができる。
【０１６８】
本発明の食品関連サービス提供システムによれば、商店のパソコンが本日のお買い得商品の商品情報，お買い得商品の価格，お買い得商品を使ったお勧め料理のレシピ情報をサービス提供会社のパソコンに随時送信するので、本日のお買い得商品の商品情報，お買い得商品の価格，お買い得商品を使ったお勧め料理のレシピ情報を商店のパソコンから通信回線を経由してサービス提供会社のパソコンに確実に伝送することができる。
【０１６９】
本発明の食品関連サービス提供システムによれば、サービス提供会社のパソコンが商店のパソコンから送信されたお買い得商品の商品情報，お買い得商品の価格，お勧め料理のレシピ情報を受信するので、サービス提供会社がお買い得商品の商品情報，お買い得商品の価格，お勧め料理のレシピ情報を商店のパソコンから自動的に入手することができ、サービス提供会社のパソコンが受信したお買い得商品の商品情報，お買い得商品の価格，お勧め料理のレシピ情報をデータベースに登録するので、お買い得商品の商品情報，お買い得商品の価格，お勧め料理のレシピ情報をサービス提供会社のデータベースにより管理することができ、サービス提供会社のパソコンがお買い得商品の商品情報，お買い得商品の価格，お勧め料理のレシピ情報を利用者の所持する携帯通信端末に送信するので、お買い得商品の商品情報，お買い得商品の価格，お勧め料理のレシピ情報をサービス提供会社のパソコンから通信回線を経由して利用者の所持する携帯通信端末に確実に伝送することができる。
【０１７０】
本発明の食品関連サービス提供システムによれば、利用者の所持する携帯通信端末がサービス提供会社のパソコンから送信されたお買い得商品の商品情報，お買い得商品の価格，お勧め料理のレシピ情報を受信するので、利用者がお買い得商品の商品情報，お買い得商品の価格，お勧め料理のレシピ情報をサービス提供会社のパソコンから自動的に入手することができ、利用者の所持する携帯通信端末が受信したお買い得商品の商品情報，お買い得商品の価格，お勧め料理のレシピ情報を表示部に表示させるので、利用者が携帯通信端末の表示部に表示されたお買い得商品の商品情報，お買い得商品の価格，お勧め料理のレシピ情報の内容を目視で確認することができる。
【０１７１】
本発明の食品関連サービス提供システムによれば、サービス提供会社のパソコンがお勧め料理のレシピに必要な材料一覧をデータベースに登録するので、お勧め料理のレシピに必要な材料一覧をサービス提供会社のデータベースにより管理することができ、サービス提供会社のパソコンがお勧め料理のレシピに必要な材料一覧を利用者の所持する携帯通信端末に送信するので、お勧め料理のレシピに必要な材料一覧をサービス提供会社のパソコンから通信回線を経由して利用者の所持する携帯通信端末に確実に伝送することができる。
【０１７２】
本発明の食品関連サービス提供システムによれば、利用者の所持する携帯通信端末がサービス提供会社のパソコンから送信されたお勧め料理のレシピに必要な材料一覧を受信するので、利用者がお勧め料理のレシピに必要な材料一覧をサービス提供会社のパソコンから自動的に入手することができ、利用者の所持する携帯通信端末が受信したお勧め料理のレシピに必要な材料一覧を表示部に表示させるので、利用者が携帯通信端末の表示部に表示されたお勧め料理のレシピに必要な材料一覧を目視で確認することができる。
【０１７３】
本発明の食品関連サービス提供システムによれば、商店のパソコンが商品の賞味期限年月日，消費期限年月日をサービス提供会社のパソコンに送信するので、商品の賞味期限年月日，消費期限年月日を商店のパソコンから通信回線を経由してサービス提供会社のパソコンに確実に伝送することができる。
【０１７４】
本発明の食品関連サービス提供システムによれば、サービス提供会社のパソコンが商店のパソコンから送信された商品の賞味期限年月日，消費期限年月日を受信するので、サービス提供会社が商品の賞味期限年月日，消費期限年月日を商店のパソコンから自動的に入手することができ、サービス提供会社のパソコンが受信した商品の賞味期限年月日，消費期限年月日をデータベースに登録するので、商品の賞味期限年月日，消費期限年月日をサービス提供会社のデータベースにより管理することができ、サービス提供会社のパソコンが商品の賞味期限年月日，消費期限年月日を利用者の所持する携帯通信端末に送信するので、商品の賞味期限年月日，消費期限年月日をサービス提供会社のパソコンから通信回線を経由して利用者の所持する携帯通信端末に確実に伝送することができる。
【０１７５】
本発明の食品関連サービス提供システムによれば、利用者の所持する携帯通信端末がサービス提供会社のパソコンから送信された商品の賞味期限年月日，消費期限年月日を受信するので、利用者が商品の賞味期限年月日，消費期限年月日をサービス提供会社のパソコンから自動的に入手することができ、利用者の所持する携帯通信端末が受信した商品の賞味期限年月日，消費期限年月日を表示部に表示させるので、利用者が携帯通信端末の表示部に表示された商品の賞味期限年月日，消費期限年月日を目視で確認することができる。
【０１７６】
本発明の食品関連サービス提供システムによれば、利用者の所持する携帯通信端末が在庫の被収納品を通信回線を経由して冷蔵庫に問い合わせるので、利用者の所持する携帯通信端末から冷蔵庫に付与したＩＰｖ６番号に接続するのみで、利用者が携帯通信端末を使用して在庫の被収納品の問い合わせを行うことができる。
【０１７７】
本発明の食品関連サービス提供システムによれば、冷蔵庫が利用者の所持する携帯通信端末からの在庫の被収納品の問い合わせに対して、在庫の被収納品情報をデータベースから読み出すと共に、読み出した在庫の被収納品情報を通信部から利用者の所持する携帯通信端末に送信するので、在庫の被収納品情報を冷蔵庫の通信部から通信回線を経由して利用者の所持する携帯通信端末に確実に伝送することができる。
【０１７８】
本発明の食品関連サービス提供システムによれば、利用者の所持する携帯通信端末が冷蔵庫の通信部から送信された在庫の被収納品情報を受信するので、利用者が在庫の被収納品情報を冷蔵庫の通信部から自動的に入手することができ、利用者の所持する携帯通信端末が受信した冷蔵庫内の在庫の被収納品情報を表示部に表示させるので、利用者が携帯通信端末の表示部に表示された冷蔵庫内の在庫の被収納品情報の内容を目視で確認することができ、冷蔵庫内に収納した在庫の被収納品を確認するために、従来のように利用者が冷蔵庫の扉を手で開ける必要もなく、利用者が外出先からでも携帯通信端末の表示部に表示された在庫の被収納品情報の内容を目で見て、冷蔵庫内に収納した在庫の被収納品を把握することができる。
【０１７９】
本発明の食品関連サービス提供システムによれば、冷蔵庫内の在庫の被収納品情報が入力された場合に、利用者の所持する携帯通信端末が冷蔵庫内の在庫の被収納品情報をサービス提供会社のパソコンに送信するので、冷蔵庫内の在庫の被収納品情報を利用者の所持する携帯通信端末から通信回線を経由してサービス提供会社のパソコンに確実に伝送することができる。
【０１８０】
本発明の食品関連サービス提供システムによれば、サービス提供会社のパソコンが利用者の所持する携帯通信端末から送信された冷蔵庫内の在庫の被収納品情報を受信するので、サービス提供会社が冷蔵庫内の在庫の被収納品情報を利用者の所持する携帯通信端末から自動的に入手することができ、サービス提供会社のパソコンが受信した冷蔵庫内の在庫の被収納品情報をデータベースに登録するので、冷蔵庫内の在庫の被収納品情報をサービス提供会社のデータベースにより管理することができる。
【０１８１】
本発明の食品関連サービス提供システムによれば、利用者の作りたい料理のレシピに必要な材料に不足品がある場合に、サービス提供会社のパソコンが料理のレシピに必要な材料の不足分を算出するので、料理のレシピに必要な材料の不足分をサービス提供会社のパソコンにより自動的に計算して求めることができ、サービス提供会社のパソコンが算出した材料の不足分から料理のレシピに必要な材料の不足品一覧を作成すると共に、作成した料理のレシピに必要な材料の不足品一覧を利用者の所持する携帯通信端末に送信するので、料理のレシピに必要な材料の不足品一覧をサービス提供会社のパソコンから通信回線を経由して利用者の所持する携帯通信端末に確実に伝送することができる。
【０１８２】
本発明の食品関連サービス提供システムによれば、利用者の所持する携帯通信端末がサービス提供会社のパソコンから送信された料理のレシピに必要な材料の不足品一覧を受信するので、利用者が料理のレシピに必要な材料の不足品一覧をサービス提供会社のパソコンから自動的に入手することができ、利用者の所持する携帯通信端末が受信した料理のレシピに必要な材料の不足品一覧を表示部に表示させるので、利用者が携帯通信端末の表示部に表示された料理のレシピに必要な材料の不足品一覧を目視で確認することができる。
【０１８３】
本発明の食品関連サービス提供システムによれば、利用者の所持する携帯通信端末が新たに購入する商品の発注をサービス提供会社のパソコンに対して依頼するので、サービス提供会社が利用者からの新たに購入する商品の発注の依頼に迅速に対処することができ、新たに購入する商品を発注する場合に、利用者の所持する携帯通信端末が新たに購入する商品の受取り方法を選択する機能を備えているので、利用者が新たに購入する商品の受取り方法を携帯通信端末を使用して自由に選択することができ、利用者の所持する携帯通信端末が選択した新たに購入する商品の受取り方法をサービス提供会社のパソコンに送信するので、新たに購入する商品の受取り方法を利用者の所持する携帯通信端末から通信回線を経由してサービス提供会社のパソコンに確実に伝送することができる。
【０１８４】
本発明の食品関連サービス提供システムによれば、サービス提供会社のパソコンが利用者の所持する携帯通信端末から送信された新たに購入する商品の受取り方法を受信するので、サービス提供会社が新たに購入する商品の受取り方法を利用者の所持する携帯通信端末から自動的に入手することができ、サービス提供会社のパソコンが受信した新たに購入する商品の受取り方法をデータベースに登録するので、新たに購入する商品の受取り方法をサービス提供会社のデータベースにより管理することができ、サービス提供会社のパソコンが商品の受渡し場所，商品の受渡し時刻，購入価格を利用者の所持する携帯通信端末に送信するので、商品の受渡し場所，商品の受渡し時刻，購入価格をサービス提供会社のパソコンから通信回線を経由して利用者の所持する携帯通信端末に確実に伝送することができる。
【０１８５】
本発明の食品関連サービス提供システムによれば、利用者の所持する携帯通信端末がサービス提供会社のパソコンから送信された商品の受渡し場所，商品の受渡し時刻，商品の購入価格を受信するので、利用者が商品の受渡し場所，商品の受渡し時刻，商品の購入価格をサービス提供会社のパソコンから自動的に入手することができ、利用者の所持する携帯通信端末が受信した商品の受渡し場所，商品の受渡し時刻，商品の購入価格を表示部に表示させるので、利用者が携帯通信端末の表示部に表示された商品の受渡し場所，商品の受渡し時刻，商品の購入価格を目視で確認することができる。
【０１８６】
本発明の食品関連サービス提供システムによれば、新たに購入する商品の受取り方法が手渡しである場合に、サービス提供会社のパソコンが商品の購入ルート，商品の受渡し時刻を利用者の所持する携帯通信端末に送信するので、商品の購入ルート，商品の受渡し時刻をサービス提供会社のパソコンから通信回線を経由して利用者の所持する携帯通信端末に確実に伝送することができる。
【０１８７】
本発明の食品関連サービス提供システムによれば、利用者の所持する携帯通信端末がサービス提供会社のパソコンから送信された商品の購入ルート，商品の受渡し時刻を受信するので、利用者が商品の購入ルート，商品の受渡し時刻をサービス提供会社のパソコンから自動的に入手することができ、利用者の所持する携帯通信端末が受信した商品の購入ルート，商品の受渡し時刻を表示部に表示させるので、利用者が携帯通信端末の表示部に表示された商品の購入ルート，商品の受渡し時刻を目視で確認することができる。
【０１８８】
本発明の食品関連サービス提供システムによれば、新たに購入する商品の受取り方法が一括受取りである場合に、サービス提供会社のパソコンが商品の受取り場所，商品の受取り時刻を利用者の所持する携帯通信端末に送信するので、商品の受取り場所，商品の受取り時刻をサービス提供会社のパソコンから通信回線を経由して利用者の所持する携帯通信端末に確実に伝送することができる。
【０１８９】
本発明の食品関連サービス提供システムによれば、利用者の所持する携帯通信端末がサービス提供会社のパソコンから送信された商品の受取り場所，商品の受取り時刻を受信するので、利用者が商品の受取り場所，商品の受取り時刻をサービス提供会社のパソコンから自動的に入手することができ、利用者の所持する携帯通信端末が受信した商品の受取り場所，商品の受取り時刻を表示部に表示させるので、利用者が携帯通信端末の表示部に表示された商品の受取り場所，商品の受取り時刻を目視で確認することができる。
【０１９０】
本発明の食品関連サービス提供システムによれば、利用者の所持する携帯通信端末が各商店への商品の購入代金の支払い方法を指定する機能を備えているので、利用者が各商店への商品の購入代金の支払い方法を携帯通信端末を使用して自由に指定することができ、利用者の所持する携帯通信端末が利用者の所持する携帯通信端末が指定した商品の購入代金の支払い方法をサービス提供会社のパソコンに送信するので、商品の購入代金の支払い方法を利用者の所持する携帯通信端末から通信回線を経由してサービス提供会社のパソコンに確実に伝送することができる。
【０１９１】
本発明の食品関連サービス提供システムによれば、サービス提供会社のパソコンが利用者の所持する携帯通信端末から送信された商品の購入代金の支払い方法を受信するので、サービス提供会社が商品の購入代金の支払い方法を利用者の所持する携帯通信端末から自動的に入手することができ、サービス提供会社のパソコンが受信した商品の購入代金の支払い方法をデータベースに登録するので、商品の購入代金の支払い方法をサービス提供会社のデータベースにより管理することができ、商品の購入代金の支払い方法が指定された場合に、サービス提供会社のパソコンが新たに購入する商品を商店に発注するので、サービス提供会社が利用者に代行して新たに購入する商品の商店に対する注文を発することができ、従来のように利用者が商店に直接出向いて新たに商品を購入する必要がなく、利用者の手間を省くことができる。
【０１９２】
本発明の食品関連サービス提供システムによれば、サービス提供会社のパソコンが商店または利用者との商品の取引情報などのログを取ると共に、ログ情報をデータベースに登録するので、ログ情報をサービス提供会社のデータベースにより管理することができる。
【図面の簡単な説明】
【図１】本発明の実施の形態に係わる食品関連サービス提供システムを示す構成図。
【図２】本発明の食品関連サービス提供システムにおける携帯通信端末の表示部の表示画面の一例を示す説明図。
【図３】本発明の食品関連サービス提供システムにおけるサービス提供会社から商店への商店ＩＤ発行時の処理フローチャート図。
【図４】本発明の食品関連サービス提供システムにおけるサービス提供会社から利用者への利用者ＩＤ発行時の処理フローチャート図。
【図５】本発明の食品関連サービス提供システムにおける料理のメニュー情報及び料理のレシピ情報のサービス提供会社のデータベースへの登録時の処理フローチャート図。
【図６】本発明の食品関連サービス提供システムにおける商店から提供された商品に関する各種の商品情報のサービス提供会社のデータベースへの登録時の処理フローチャート図。
【図７】本発明の食品関連サービス提供システムにおける利用者からサービス提供会社への料理に関する問い合わせ時の処理フローチャート図。
【図８】図７に続く処理フローチャート図。
【図９】本発明の食品関連サービス提供システムにおける利用者から冷蔵庫への在庫の被収納品の問い合わせ時の処理フローチャート図。
【図１０】図９に続く処理フローチャート図。
【符号の説明】
１　冷蔵庫
２　商店
３　サービス提供会社
４　携帯電話機（携帯通信端末）
５　通信回線
１０　データベース（ＤＢ）
１１　通信部
２０　パソコン（ＰＣ）
３０　パソコン（ＰＣ）
３１　データベース（ＤＢ）
３２　サーバ
４０　表示部
４０ａ　表示画面
Ｐ　利用者
Ｓ　食品関連サービス提供システム
【図１】
2004139303.tif 000003
【図２】
2004139303.tif 000004
【図３】
2004139303.tif 000005
【図４】
2004139303.tif 000006
【図５】
2004139303.tif 000007
【図６】
2004139303.tif 000008
【図７】
2004139303.tif 000009
【図８】
2004139303.tif 000010
【図９】
2004139303.tif 000011
【図１０】
2004139303.tif 000012